(57)【特許請求の範囲】
【請求項１】
液透過性のトップシートと、液不透過性のバックシートと、前記液透過性のトップシート及び液不透過性のバックシートの間の吸収体とを含む吸収性物品であって、
前記吸収性物品が、排泄口当接域に、前記吸収性物品の厚さ方向に突出する中高部を有し、
前記中高部が、前記トップシートの一部と、前記トップシート及び吸収体の間に配置されているクッション部とを含み、
前記クッション部が、３〜３０ｍｍの最大厚さを有し、
前記吸収体が、前記吸収性物品の長手方向に、前記吸収体を連続的又は間欠的に圧搾することにより形成された、一又は複数の圧搾部を有し、そして
前記一又は複数の圧搾部が、前記吸収性物品を、その幅方向に且つ前記トップシートの肌当接面が突出するように折り曲げるための折り軸を形成しており、
前記吸収体が、前記バックシート側に、前記折り軸に沿った溝部を有し、前記バックシートが、前記溝部に沿って窪んでいる、
ことを特徴とする、前記吸収性物品。
【請求項２】
前記クッション部が、５０〜８００ｇ／ｍ2の平均坪量を有する、請求項１に記載の吸収性物品。
【請求項３】
前記クッション部が、前記吸収性物品の幅方向において、０．１〜３．６Ｎの圧縮力を有する、請求項１又は２に記載の吸収性物品。
【請求項４】
前記クッション部が、各繊維の交点が熱融着されているエアスルー不織布を含む、請求項１〜３のいずれか一項に記載の吸収性物品。
【請求項５】
前記吸収体が、前記折り軸を形成する、前記一又は複数の圧搾部を、前記クッション部と厚さ方向に重複する範囲に有する、請求項１〜４のいずれか一項に記載の吸収性物品。
【請求項６】
前記中高部が、中央部と、当該中央部を囲む外周部とを有し、そして前記外周部におけるクッション部の密度が、前記中央部におけるクッション部の密度よりも高い、請求項１〜５のいずれか一項に記載の吸収性物品。
【請求項７】
前記クッション部が、ウマＥＤＴＡ血２ｇを吸収させた後に、ウマＥＤＴＡ血を吸収させる前と比較して、５０％以上の最大厚さを保持する、請求項１〜６のいずれか一項に記載の吸収性物品。
【請求項８】
前記吸収性物品が、前記中高部を内側に向けて湾曲する湾曲構造を有する、請求項１〜７のいずれか一項に記載の吸収性物品。
【請求項９】
前記トップシートが、肌当接面に、前記吸収性物品の長手方向に延びる、複数の畝部と、複数の溝部とを有する、請求項１〜８のいずれか一項に記載の吸収性物品。
【請求項１０】
前記中高部が、０．００〜０．６０のＩＯＢと、４５℃以下の融点と、２５℃の水１００ｇに対する、０．００〜０．０５ｇの水溶解度とを有する血液改質剤をさらに含む、請求項１〜９のいずれか一項に記載の吸収性物品。
【請求項１１】
前記血液改質剤が、次の（ｉ）〜（ｉｉｉ）、
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
請求項１０に記載の吸収性物品。
【請求項１２】
前記血液改質剤が、次の（ｉ’）〜（ｉｉｉ’）、
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
請求項１０又は１１に記載の吸収性物品。
【請求項１３】
前記血液改質剤が、次の（Ａ）〜（Ｆ）、
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ2〜Ｃ6アルキレングリコール、又はそのエステル若しくはエーテル、及び
（Ｆ）鎖状炭化水素、
並びにそれらの任意の組み合わせから成る群から選択される、請求項１０〜１２のいずれか一項に記載の吸収性物品。
【請求項１４】
前記血液改質剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ2〜Ｃ6アルキレングリコール、（ｅ2）ポリオキシＣ2〜Ｃ6アルキレングリコールと少なくとも１の脂肪酸とのエステル、（ｅ3）ポリオキシＣ2〜Ｃ6アルキレングリコールと少なくとも１の脂肪族１価アルコールとのエーテル、（ｅ4）ポリオキシＣ2〜Ｃ6アルキレングリコールと、鎖状炭化水素テトラカルボン酸、鎖状炭化水素トリカルボン酸、又は鎖状炭化水素ジカルボン酸とのエステル、（ｅ5）ポリオキシＣ2〜Ｃ6アルキレングリコールと、鎖状炭化水素テトラオール、鎖状炭化水素トリオール、又は鎖状炭化水素ジオールとのエーテル、及び（ｆ1）鎖状アルカン、並びにそれらの任意の組み合わせから成る群から選択される、請求項１０〜１３のいずれか一項に記載の吸収性物品。
【発明の詳細な説明】
【技術分野】
【０００１】
本発明は、吸収性物品に関する。
【背景技術】
【０００２】
吸収性物品、例えば、生理用ナプキンでは、着用者の体にフィットさせることを目的とし、トップシートが、その肌当接面に、クッション性を有する突出部を有するものが知られている。トップシートが、その肌当接面に突出部を有することにより、着用者が体を動かした場合であっても、突出部が着用者の体にフィットし、漏れが生じにくくなることが期待されている。
【０００３】
例えば、特許文献１には、着用時に、吸収体が、着用者の肌に向かって曲面状に突出した形状に変形し、優れたフィット性及び防漏性が得られることを目的とした吸収性物品が記載されている。
特許文献１に記載の吸収性物品は、以下の構成を有する：液透過性の表面シート、液不透過性の裏面シート、及びこれら両シート間に介在された液保持性の吸収体を具備し、実質的に縦長に形成された吸収性物品であって、前記吸収体は、その幅方向中央部における裏面シート側の面に凹部を有すると共に、該凹部の両側に位置する部分の表面シート側の面に、長手方向に延びる一対の溝を有しており、前記凹部は、前記吸収体の構成材料の坪量を他の部分より減らして形成されており、該凹部の幅が５〜３０ｍｍである吸収性物品。
また、特許文献１の［００１５］には、上記吸収体が、パルプ繊維を主体として構成されることが記載されている。
【先行技術文献】
【特許文献】
【０００４】
【特許文献１】特開２００６−１１５９９６号
【発明の概要】
【発明が解決しようとする課題】
【０００５】
しかし、特許文献１に記載の吸収性物品では、吸収体がパルプ繊維を主体としているため、着用時に経血を吸収すると、その嵩が減少し、幅方向から圧縮力が加わった際に、吸収性物品が着用者の肌に向かって過度に突出した形状に変形し、吸収性物品にヨレが生じ、その結果、経血の漏れ、着用時の違和感等が生じやすい。
従って、本開示は、経血を吸収する前のドライ時と、経血を吸収した後のウェット時との両方において、着用者の脚の動きに追従して変形し、そして元の形状に戻ることができ、フィット性に優れる吸収性物品を提供することを目的とする。
【課題を解決するための手段】
【０００６】
本発明者らは、上記課題を解決するために鋭意検討した結果、液透過性のトップシートと、液不透過性のバックシートと、上記液透過性のトップシート及び液不透過性のバックシートの間の吸収体とを含む吸収性物品であって、上記吸収性物品が、排泄口当接域に、上記吸収性物品の厚さ方向に突出する中高部を有し、上記中高部が、上記トップシートの一部と、上記トップシート及び吸収体の間に配置されているクッション部とを含み、上記クッション部が、３〜３０ｍｍの最大厚さを有し、上記吸収体が、上記吸収性物品の長手方向に、上記吸収体を連続的又は間欠的に圧搾することにより形成された、一又は複数の圧搾部を有し、そして上記一又は複数の圧搾部が、上記吸収性物品を、その幅方向に且つ上記トップシートの肌当接面が突出するように折り曲げるための折り軸を形成していることを特徴とする吸収性物品を見出した。
【発明の効果】
【０００７】
本開示の吸収性物品は、経血を吸収する前のドライ時と、経血を吸収した後のウェット時との両方において、着用者の脚の動きに追従して変形し、そして元の形状に戻ることができ、フィット性に優れる。
【図面の簡単な説明】
【０００８】
【図１】図１は、本開示の実施形態の１つに従う吸収性物品の斜視図である。
【図２】図２は、図１に示される吸収性物品１の正面図である。
【図３】図３は、図１に示される吸収性物品１の背面図である。
【図４】図４は、図２のＸ−Ｘ端面における端面図である。
【図５】図５は、図２のＹ−Ｙ端面における端面図である。
【図６】図６は、吸収体に形成された圧搾部及び折り軸の例を説明するための図である。
【図７】図７は、本発明の別の実施形態に従う吸収性物品の断面図である。
【図８】図８は、圧縮力を測定する装置の例を示す概略図である。
【図９】図９は、吸収性物品に組み込まれる前のクッション部の形状の例を示す図である。
【図１０】図１０は、トップシートがトリＣ２Ｌ油脂肪酸グリセリドを含む生理用ナプキンにおける、トップシートの肌当接面の電子顕微鏡写真である。
【図１１】図１１は、血液改質剤を含む又は含まない経血の顕微鏡写真である。
【図１２】図１２は、表面張力の測定方法を説明するための図である。
【発明を実施するための形態】
【０００９】
本開示の吸収性物品について、以下、詳細に説明する。
図１〜５に、本開示の実施形態の１つに従う吸収性物品を示す。図１は、本開示の実施形態の１つに従う吸収性物品の斜視図である。図１に示される吸収性物品１は、生理用ナプキンである。図１に示される吸収性物品１では、向かって右奥が着用者の前方に相当し、そして向かって左手前が着用者の後方に相当するが、図１に示される吸収性物品１は、おおむね、前後対称且つ左右対称の形状を有する。
【００１０】
図１に示される吸収性物品１は、液透過性のトップシート４と、液不透過性のバックシート（図示せず）と、液透過性のトップシート４及び液不透過性のバックシートの間の吸収体７とを含む。図１にはまた、圧搾部３、及びバックシートに固定された剥離部５が示されている。
【００１１】
図１に示される吸収性物品１は、排泄口当接域において、吸収性物品１の厚さ方向に突出する中高部２を有する。
なお、図１に示される吸収性物品１では、トップシート４が、肌当接面に、長手方向に延びる、複数の畝溝構造を有しており、図１では、便宜上、畝と溝との境界が、実線で示されている。図１に示される吸収性物品１では、２本の実線で囲まれた幅の広い領域が畝部を意味し、そして２本の実線で囲まれた幅の狭い領域が溝部を意味し、図１に示される吸収性物品１では、複数の畝部と、複数の溝部とが、吸収性物品１の幅方向に交互に配置されている。
【００１２】
本明細書において、吸収性物品の長手方向と直行する方向を、「幅方向」と称する場合がある。
また、本明細書において、「中高部」は、トップシートの一部と、クッション部とを含む部分を意味し、そして中高部では、その頂部から外縁に向かって厚さが概ね薄くなる。
【００１３】
また、中高部に関する「中央部」は、図２に示されるような、吸収性物品の正面図において、中高部の頂部から、中高部の外縁までの距離の、好ましくは０〜約５０％、より好ましくは０〜約４０％、そしてさらに好ましくは０〜約３０％の領域を意味し、そして残余の領域が、中高部の「外周部」を意味する。
【００１４】
図２は、図１に示される吸収性物品１の正面図であり、トップシート４の肌当接面側から観察した図である。図２に示される吸収性物品１では、向かって上方が着用者の前方に相当し、そして向かって下方が着用者の後方に相当する。図２に示される吸収性物品１は、液透過性のトップシート４と、液不透過性のバックシート（図示せず）と、液透過性のトップシート４及び液不透過性のバックシートの間の吸収体７とを含む。
【００１５】
図２に示される吸収性物品１はまた、排泄口当接域、特に、小陰唇当接域において、吸収性物品１の厚さ方向に突出する中高部２を有する。また、中高部２は、トップシート４の一部と、トップシート４及び吸収体７の間に配置されたクッション部６とを含む。図２にはまた、圧搾部３、及びバックシートに固定された剥離部５が示されている。
【００１６】
図３は、図１に示される吸収性物品１の背面図であり、バックシート８の着衣当接面側から観察した図である。図３に示される吸収性物品１では、向かって上方が着用者の前方に相当し、そして向かって下方が着用者の後方に相当する。図３に示される吸収性物品１には、液不透過性のバックシート８の着衣当接面に、固定部９が塗工されており、剥離部５が固定部９に仮固定されている。着用者は、使用時に、固定部９から剥離部５を剥離し、固定部９を着衣に固定し、吸収性物品１を使用することができる。
【００１７】
図４は、図２のＸ−Ｘ端面における端面図である。図４に示される吸収性物品１では、液不透過性のバックシート８、吸収体７、及び液透過性のトップシート４が、下から順に積層され、そして排泄口当接域において、クッション部６が、吸収体７と、液透過性のトップシート４との間に配置されている。
【００１８】
また、図４に示される吸収性物品１では、中高部２が、トップシート４の一部と、クッション部６とを含み、そして吸収性物品１は、クッション部６の外縁近傍、より具体的にはクッション部６の外側に、トップシート４及び吸収体７を圧搾することにより形成された圧搾部３を有する。
【００１９】
さらに、図４に示される吸収性物品１は、吸収性物品１の長手方向に、吸収体７を間欠的に圧搾することにより形成された、複数の圧搾部１３を有し、そして複数の圧搾部１３が、吸収性物品１を、その幅方向に且つトップシート４の肌当接面が突出するように折り曲げるための折り軸１４を形成している。
なお、本明細書において、吸収性物品が、折り軸を起点に、その幅方向に且つトップシートの肌当接面が突出するように折り曲げることを、「凸状変形する」と称する場合があり、そしてその状態を「凸状変形」と称する場合がある。
【００２０】
図４に示される吸収性物品１では、クッション部６が、エアスルー不織布から形成され、そして約１５ｍｍの最大厚さを有する。図４に示される吸収性物品１の中高部２では、外周部１２におけるクッション部６の密度が、中央部１１におけるクッション部６の密度よりも高い。
【００２１】
図５は、図２のＹ−Ｙ端面における端面図である。図５に示される吸収性物品１は、クッション部６の外縁近傍、より具体的にはクッション部６の外側に、トップシート４及び吸収体７を圧搾することにより形成された圧搾部３を有する。図５に示される吸収性物品１では、トップシート４が、その肌当接面に、複数の畝溝構造を有する。
【００２２】
図５に示される吸収性物品１は、吸収性物品１の長手方向に配置される、吸収体７を圧搾することにより形成された、複数の圧搾部１３を有し、そして複数の圧搾部１３が、吸収性物品１を、凸状変形させるための折り軸１４を形成している。
【００２３】
図５に示される吸収性物品１の中高部２では、外周部１２におけるクッション部６の密度が、中央部１１におけるクッション部６の密度よりも高い。また、図５には、弾性部材１５が示されている。
【００２４】
なお、図４及び図５に示される吸収性物品１の中高部２では、外周部１２におけるクッション部６の密度が、中央部１１におけるクッション部６の密度よりも高いが、本開示の別の実施形態の吸収性物品では、外周部におけるクッション部の密度が、中央部におけるクッション部の密度と同一であり、そして本開示のさらに別の実施形態の吸収性物品では、外周部におけるクッション部の密度が、中央部におけるクッション部の密度よりも低い。
【００２５】
上記吸収性物品において、クッション部は、特に制限されるものではなく、各繊維の交点が熱融着されている不織布を含むことが好ましい。各繊維の交点が熱融着されている不織布としては、例えば、天然繊維、化学繊維、又はそれらの両方を含むものが挙げられる。各繊維の交点が熱融着されることにより、経血を吸収する前のドライ時と、経血を吸収した後のウェット時との両方において、本開示の吸収性物品が折れ軸を起点に折れ曲がった状態から、元の形状に迅速に戻ることができる。また、経血を吸収した後であっても、クッション部、ひいては中高部が形状安定性に優れることができる。
【００２６】
上記各繊維の交点が熱融着されている不織布は、各繊維を熱融着させるために、熱可塑性化学繊維を、好ましくは約５０〜約１００質量％、そしてより好ましくは約７０〜約１００質量％含む。
上記熱可塑性化学繊維の原料としては、ポリエチレン（ＰＥ）、ポリプロピレン（ＰＰ）、ポリエチレンテレフタレート（ＰＥＴ）、ＰＥ及びＰＰのグラフトポリマー等が挙げられ、そして上記熱可塑性化学繊維の繊維タイプの例としては、単繊維、複合繊維、熱収縮繊維、熱伸長性繊維、異型繊維、立体捲縮繊維、分割繊維等が挙げられる。
【００２７】
経血の入り込みやすさ、リウェットバックのしにくさ等を考慮し、上記熱可塑性化学繊維は、親水剤、撥水剤等を含む繊維であるか、又はそれらがコーティングされた繊維であることができる。また、上記熱可塑性化学繊維は、コロナ処理、プラズマ処理等により、親水化された繊維であることができる。
【００２８】
また、上記クッション部の白化性を高めるために、上記繊維が、酸化チタン、硫酸バリウム、炭酸カルシウム等の無機フィラーを含有することができる。上記クッション部を構成する上記繊維が、芯鞘型複合繊維である場合は、芯及び／又は鞘が、上記無機フィラーを含有することができる。
【００２９】
上記クッション部を構成する繊維は、圧縮回復性を考慮すると、単繊維よりも複合繊維が好ましく、鞘部にポリエチレンを含む芯鞘型複合繊維であることがより好ましい。なお、本明細書において、「圧縮回復性」は、中高部が、複雑な形状を有する排泄口に接触し続けることを表わす特性であり、そして吸収性物品の凸状変形からの回復性を表わす特性である「圧縮力」とは異なる。
【００３０】
上記複合繊維としては、芯成分の融点が鞘成分の融点より高い芯鞘型複合繊維、例えば、偏芯型の芯鞘型複合繊維、２成分の融点が異なるサイドバイサイド型複合繊維が挙げられる。また、上記異型繊維として、中空型、扁平型、Ｙ型、Ｃ型等の異型繊維が挙げられ、上記立体捲縮繊維として、潜在捲縮、顕在捲縮等の立体捲縮繊維が挙げられ、そして上記分割繊維として、水流、熱、エンボス等の物理的負荷により分割する分割繊維等が挙げられる。
上記繊維は、経血等の入り込みやすさ、肌触り等を考慮すると、約１．１〜約８．８ｄｔｅｘの繊度を有することが好ましい。
【００３１】
上記天然繊維の例として、セルロース、例えば、粉砕パルプ、コットン等、再生セルロース、例えば、レーヨン、フィブリルレーヨン等、半合成セルロース、例えば、アセテート、トリアセテート等、並びにそれらの任意の組み合わせが挙げられ、低コスト且つ成形性を考慮すると、粉砕パルプが好ましい。
【００３２】
上記クッション部が、上述のセルロース、再生セルロース及び／又は半合成セルロースを含むと、寝姿勢等の中高部に体圧が加わりにくい状態において、経血を引き込み、経血の漏れを抑制することができる。クッション部が化学繊維、例えば、熱可塑性化学繊維１００％から成る不織布であると、トップシートの最表面を経血が流れ、漏れが生ずる恐れがある。
【００３３】
上記クッション部は、ウェブフォーミング、例えば、乾式法（カード法、スパンボンド法、メルトブローン法、エアレイド法、ＴＯＷ等）、湿式法等、又はそれらの組み合わせにより形成されうる。また、上記クッション部をボンディングする方法としては、例えば、サーマルボンディング、ニードルパンチ、ケミカルボンディング、水流交絡法等が挙げられる。
【００３４】
上記クッション部は、特に制限されないが、例えば、各繊維の交点が熱融着されているエアスルー不織布、ポイントボンド不織布、スパンボンド不織布、スパンボンド・メルトブローン・スパンボンド不織布（ＳＭＳ不織布）、熱融着交点を有するスパンレース不織布等を含むことが好ましく、そしてエアスルー不織布を含むことがより好ましい。エアスルー不織布は、嵩高で密度が低く、肌触りに優れるからである。
【００３５】
本開示の吸収性物品では、クッション部が、約３〜約３０ｍｍの最大厚さを有し、好ましくは約４〜約２０ｍｍの最大厚さを有し、そしてより好ましくは約５〜約１０ｍｍの最大厚さを有する。上記最大厚さが約３ｍｍ未満であると、吸収性物品に幅方向の圧縮が加わっていない場合に、吸収性物品が凸状変形する場合があり、そしてクッション部の反発力が小さく、凸状変形した吸収性物品を、元の形に戻すことが難しい場合がある。上記最大厚さが約３０ｍｍより大きいと、クッション部の反発力が過度に大きく、吸収性物品が凸状変形しにくく、着用者が脚を閉じた際に、折り軸以外の個所を起点に折れ曲がる場合がある。
【００３６】
また、上記クッション部の最大厚さが上記範囲にあることにより、着用時に、着用者の排泄口、特に、小陰唇にフィットし、漏れを生じさせにくくすることができる。
なお、上記クッション部の最大厚さは、吸収性物品から取り出したクッション部ではなく、吸収性物品の状態における、クッション部の最大厚さを意味する。
【００３７】
図３及び図４では、折り軸１４が、複数の圧搾部１３から形成されているが、本開示の吸収性物品は、吸収性物品の長手方向に、吸収体を連続的又は間欠的に圧搾することにより形成された、一又は複数の圧搾部を有し、当該一又は複数の圧搾部が、吸収性物品を凸状変形させるための折り軸を形成している。図６に、吸収体に形成された圧搾部及び折り軸の例を示す。
【００３８】
図６（ａ）〜（ｃ）は、吸収体に形成された圧搾部及び折り軸の例を説明するための図である。図６（ａ）〜（ｃ）は、吸収体７を、バックシート側から見た図である。図６（ａ）〜（ｃ）に示される吸収体７では、向かって右側が着用者の前方に相当し、そして向かって左側が着用者の後方に相当する。
【００３９】
図６（ａ）では、吸収体７が、その長手方向に、吸収体７を圧搾することにより形成された、複数の圧搾部１３を有し、そして複数の圧搾部１３が、折り軸１４を形成している。また、図６（ａ）では、圧搾部１３は菱形であり、そして連続している。さらに、図６（ａ）では、複数の圧搾部１３は、吸収体７の幅方向中央部に配置されている。
【００４０】
図６（ｂ）では、吸収体７が、その長手方向に、吸収体７を圧搾することにより形成された、複数の圧搾部１３を有し、そして複数の圧搾部１３が、折り軸１４を形成している。図６（ｂ）では、３個１組の連続する菱形の圧搾部１３が、一定の間隔をあけて配置されている点が、図６（ａ）と異なる。
【００４１】
図６（ｃ）では、吸収体７が、その長手方向に、吸収体７を圧搾することにより形成された、複数の圧搾部１３を有し、そして複数の圧搾部１３が、折り軸１４を形成している。図６（ｃ）では、圧搾部１３は菱形であり、そして連続しているが、クッション部６と厚さ方向に重複する範囲にのみ圧搾部１３が形成されている点が、図６（ａ）と異なる。
【００４２】
図６（ａ）及び図６（ｂ）に示されるように、圧搾部１３は、吸収体７の長手方向全域に配置されていることが好ましい。着用者の恥丘の凹状の形状と、着用者のお尻の凸状溝に沿うことができるからである。また、クッション部６と厚さ方向に重複する範囲では、図６（ａ）及び（ｃ）に示されるように圧搾部１３が連続して形成され、そしてそれ以外の範囲では、図６（ｂ）に示されるように圧搾部１３が間欠的に形成されることが好ましい。着用者の身体の形状に適度に沿うことができるからである。
【００４３】
折り軸を形成する圧搾部は、吸収体の幅方向中央部に形成されることが好ましい。折り軸が、吸収性物品の幅方向中央部に形成され、吸収性物品を、その幅方向中央部が頂部となるように凸状変形させることができるからである。
【００４４】
折り軸を形成する圧搾部は、当技術分野で公知の方法により形成することができ、例えば、上下一対のエンボスロールであって、一方に圧搾パターンが形成されているものを、繊維の融点未満の温度で、約１００〜約１０００Ｎ／ｃｍの圧力で圧搾することにより、上記圧搾部を形成することができる。
【００４５】
折り軸を形成する圧搾部の形状は、特に制限されるものではなく、例えば、丸形、菱形、矩形、楕円形等のパターン等が挙げられる。上記圧搾部は、好ましくは約０．２〜約５ｍｍ、より好ましくは約０．５〜約３ｍｍ、そしてさらに好ましくは約０．７〜約２ｍｍの、吸収性物品の長手方向の長さ及び幅方向の長さを有する。上記長さが約０．２ｍｍ未満であると、吸収性物品を凸状変形させる起点を形成しにくい。上記長さが約５ｍｍを超えると、吸収性物品に幅方向の圧縮が加わっていない場合に、吸収性物品が凸状変形する場合がある。
【００４６】
図７は、本発明の別の実施形態に従う吸収性物品の断面図である。図７は、図２のＹ−Ｙ端面に相当する端面図であり、そして理解を助けるために、吸収性物品の厚さ方向が拡大されている。図７に示される吸収性物品１は、クッション部６の外縁近傍、より具体的にはクッション部６の外側に、トップシート４及び吸収体７を圧搾することにより形成された圧搾部３を有する。
【００４７】
また、図７に示される吸収性物品１は、吸収性物品１の長手方向に、吸収体７を圧搾することにより形成された、複数の圧搾部１３を有し、そして複数の圧搾部１３が、吸収性物品１を凸状変形させるための折り軸１４を形成している。
さらに、図７に示される吸収性物品１では、吸収体７が、バックシート８側に、折り軸１４に沿った溝部１６を有し、バックシート８が、溝部１６に沿って窪んでいる。バックシートが、吸収体の溝部に沿って窪むことにより、吸収性物品が、より凸状変形しやすくなる。
【００４８】
図７に示されるような吸収性物品１は、例えば、以下のように製造することができる。
例えば、トップシートと、クッション部と、折り軸に沿った溝部を有する吸収体とから成る積層物の上に、バックシートを貼り付ける場合には、積層物を（製造すべき吸収性物品の）長手方向に搬送しながら、積層すべきバックシートを、ラインのテンションを下げて積層物の上に積層することにより、バックシートを、吸収体の溝部に沿って窪ませることができる。なお、上記積層物は、圧搾、ホットメルト等により接着されている。
【００４９】
また、上記積層物を支持体に載せて搬送し、支持体側から空気を吸引しながらバックシートを上記積層物に積層することにより、バックシートを、吸収体の溝部に沿って窪ませることができる。
【００５０】
さらに、トップシートと、クッション部と、折り軸に沿った溝部を有する吸収体とから成る積層物の上に、バックシートを貼り付けた後、バックシートの上から、溝部に沿って円盤状の賦形ロールで賦形することにより、バックシートを、吸収体の溝部に沿って窪ませることができる。
さらに、吸収体及びバックシートを一緒に圧搾することにより、吸収体の折り軸を形成し且つバックシートを、吸収体の溝部に沿って窪ませることができる。
【００５１】
本開示の吸収性物品が、経血を吸収する前のドライ時と、経血を吸収した後のウェット時との両方において、着用者の脚の動きに追従して変形し、そして元の形状に戻ることができ、フィット性が高い理由を、適宜、図７を利用しながら説明する。
本開示の吸収性物品では、吸収体が折り軸を有するため、着用者が脚を閉じた場合等、吸収性物品が、幅方向から圧縮を受けた場合に、折り軸を起点に、吸収性物品の幅方向に且つトップシートの肌当接面が突出するように折り曲がることができる。
【００５２】
図７を利用して説明すると、吸収性物品１が、折り軸１４を起点に、その幅方向中心部が矢印Ｕの方向に持ち上がり、吸収性物品１の断面が、凸状に変形する。なお、吸収性物品１は、クッション部６を有することから、その断面が凹状には変形しにくい。
【００５３】
着用者が脚を開いた場合等、吸収性物品の幅方向からの圧縮がなくなった場合には、３〜３０ｍｍの最大厚さを有し、所望により各繊維の交点が熱融着されている不織布を含むクッション部の反発力により、吸収性物品が速やかに元の形状に戻ることができるため、フィット性に優れる。また、フィット性に優れるため、着用者の体と吸収性物品との間に隙間が生じにくく、経血が漏れにくい。
【００５４】
本開示の吸収性物品では、クッション部が、所望により各繊維の交点が熱融着されている不織布を含み、経血を吸収する前のドライ時のみならず、経血を吸収した後のウェット時においても、上記反発力を保持し、上記作用を発揮することができる。
【００５５】
本開示の吸収性物品において、上記クッション部は、好ましくは約５０〜約８００ｇ／ｍ2、より好ましくは約１００〜５００ｇ／ｍ2、そしてさらに好ましくは約１５０〜約３００ｇ／ｍ2の平均坪量を有する。クッション部が上記範囲の平均坪量を有することにより、吸収性物品が凸状変形した後、着用者の脚からの圧縮がなくなると共にクッション部が反発し、吸収性物品を迅速に元の形状に戻すことができる。
【００５６】
また、クッション部が上記範囲の平均坪量を有することにより、経血を吸収後のウェット時においても、中高部が潰れず、中高部が着用者の排泄口、特に、小陰唇にフィットし、漏れを少なくすることができる。
なお、本明細書において、「平均坪量」は、試料（例えば、クッション部、吸収体等）の質量を、その面積で除した、試料全体の坪量を意味する。
【００５７】
本開示の吸収性物品において、上記クッション部は、好ましくは約０．１〜約３．６Ｎ、より好ましくは約０．２〜約３．０Ｎ、そしてさらに好ましくは約０．３〜約２．０Ｎの圧縮力を有する。上記圧縮力が約０．１Ｎを下回ると、吸収性物品が凸状変形した後、着用者の脚からの圧縮がなくなると共にクッション部が反発して、吸収性物品を迅速に元の形状に戻すことができない場合がある。また、上記圧縮力が約３．６Ｎを上回ると、クッション部の反発力が過度に大きく、吸収性物品が凸状変形することが難しくなる傾向がある。
【００５８】
上記圧縮力は、以下のように測定することができる。
図８は、圧縮力を測定する装置の例を示す概略図である。図８（ａ）は、圧縮力測定装置２１を上から見た図であり、そして図８（ｂ）は、圧縮力測定装置２１を側面から見た図である。図８に示される圧縮力測定装置２１は、スタンド２２の上の、左右に往復運動することが可能な稼働台２３と、稼働台２３の上に設置された、圧縮力を測定するデジタルフォースゲージ２４と、測定すべき試料を載せる試料台２５とを有する。試料台２５には、測定すべき試料２６と、着用者の脚に見立て、そして試料２６を挟むように配置される２つの円柱形の圧縮パーツ２７と、圧縮パーツの一方を固定するためのストッパー２８が配置されている。
【００５９】
スタンド２２（及び稼働台２３）としては、例えば、日本電産シンポ（株）製のデジタルフォースゲージ用スタンド、例えば、ＦＧＳ−５０Ｘ−Ｈが挙げられる。デジタルフォースゲージ２４としては、日本電産シンポ（株）製のデジタルフォースゲージ、例えば、ＦＧＰ−０．５に、押しアダプタ（正方形、一辺の長さ：１５ｍｍ）を着用したものが挙げられる。圧縮パーツ２７としては、例えば、ＡＳ−ｏｎｅ製のプラスチック製シャーレ（質量：３８．５ｇ，直径：１００ｍｍ，高さ：３０ｍｍ）が挙げられる。
【００６０】
試料２６、具体的には、吸収性物品から取り出したクッション部を、２つの圧縮パーツ２７の間に置く。クッション部は、２つの圧縮パーツ２７が、クッション部の長手方向の中心位置を、クッション部の幅方向に圧縮するようにセットされる。なお、クッション部に関する長手方向及び幅方向は、当該クッション部が構成する吸収性物品の長手方向及び幅方向を意味する。また、デジタルフォースゲージ２４は、アダプタが圧縮パーツ２７の下から６ｍｍの位置を中心に圧縮するように配置する。
【００６１】
次いで、デジタルフォースゲージ２４を、１００ｍｍ／分の速度で、試料２６を押し込むように２０ｍｍ移動させ、試料２６を圧縮し、その際の最大値を読み取り、圧縮力の値として採用する。
【００６２】
本開示の別の実施態様に従う吸収性物品では、中高部を構成するクッション部の密度が、中高部の外周部と中央部とで異なり、外周部におけるクッション部の密度が、中央部におけるクッション部の密度よりも高い（以下、当該吸収性物品を、「密度差を有するクッション部を含む吸収性物品」と称する場合がある。）。
【００６３】
成人女性の小陰唇の形状は一定ではなく、個人差があるが、成人女性の小陰唇は、大陰唇と比較して、体を動かした際に変形しにくい。また、大陰唇は、女性の体型により、体を動かした際の変形の度合いが大きく異なり、太めの女性では、体を動かした際に、大陰唇が極めて容易に変形しやすい。
【００６４】
上記密度差を有するクッション部を含む吸収性物品では、中高部の中央部における、相対的に低密度のクッション部は剛性が低く、小陰唇と接すると、小陰唇の形状に沿って変形し、小陰唇を埋没させることができる。一方、中高部の外周部における、相対的に高密度のクッション部は剛性が高く、経血を吸収する前のドライ時において、小陰唇と大陰唇との境界、又は大陰唇に接触し続けることができる。また、中高部の外周部における、相対的に高密度のクッション部は、圧縮回復性が高いので、経血を吸収した後のウェット時においても、複雑な形状を有する排泄口と接触し続けることができる。
【００６５】
なお、本明細書では、「排泄口当接域」は、着用者の排泄口に接する領域を意味し、そして上記「排泄口」は、主に小陰唇を意味するが、中高部の外周部が、大陰唇に接することを妨げるものではない。
【００６６】
また、上記密度差を有するクッション部を含む吸収性物品では、中高部の中央部は圧縮されやすいため、着用中は着用者の小陰唇の形状に沿って凹状に変形し、小陰唇を埋没させ、トップシートを膣口と緻密に接触させ、トップシート上で経血が過度に広がることを防止することができる。
【００６７】
さらに、上記密度差を有するクッション部を含む吸収性物品では、トップシートが膣口と緻密に接触できるため、着用中は、膣口と、吸収体との距離が近く、クッション部が主に熱可塑性化学繊維から構成されている場合には、最初の経血の吸収時において、経血を平面方向に拡散させることなく、トップシート及びクッション部を通過して、吸収体に迅速に移行させることができる。一度経血の通り道ができると、その領域は親水化されるため、２回目以降の経血の吸収の際にも、経血は、トップシート及びクッション部を通過して、迅速に吸収体に移行することができる。
【００６８】
さらに、上記密度差を有するクッション部を含む吸収性物品では、体圧が加わって、一時的にクッション部の嵩が小さくなり、嵩が小さくなったクッション部に経血が大量に滞留した場合であっても、体圧が弱くなった際に、中高部の外周部を中心として、クッション部の嵩が迅速に回復するため、経血を吸収体に迅速に移行させることができる。
【００６９】
上記密度差を有するクッション部を含む吸収性物品は、例えば、クッション部の外縁近傍に、少なくともトップシート及び吸収体を圧搾することにより形成することができる。
少なくともトップシート及び吸収体を、圧搾されたトップシートと吸収体との引張力によりクッション部の外縁が圧縮され且つその厚さが薄くなるように圧搾することにより、中高部の外周部におけるクッション部の密度を、中高部の中央部におけるクッション部の密度よりも高くすることができる。一方、中高部の中央部では、クッション部の圧縮度が低く、その厚さが外周部ほど薄くならないため、クッション部の密度が高くなりにくい。
【００７０】
上記密度差を有するクッション部を含む吸収性物品、より具体的には、クッション部の外縁近傍に、少なくともトップシート及び吸収体を圧搾することにより形成された圧搾部を有する吸収性物品は、例えば、（ｉ）クッション部の外側に、トップシート及び吸収体を圧搾することにより圧搾部を形成すること、（ｉｉ）クッション部の外縁に、トップシート、クッション部及び吸収体を圧搾することにより圧搾部を形成すること等により製造されうる。
【００７１】
また、上記密度差を有するクッション部を含む吸収性物品は、例えば、（ｉ）クッション部の外縁を圧搾し、次いで、液不透過性のバックシート、吸収体、クッション部、及びトップシートを順に積層すること、（ｉｉ）クッション部を吸収体に積層し、次いで、クッション部の外縁及び吸収体を一緒に圧搾し、次いで、液不透過性のバックシート、当該圧搾物、及び液透過性のトップシートを順に積層すること、及び（ｉｉｉ）クッション部を液透過性のトップシートに積層し、次いで、クッション部の外縁及びトップシートを一緒に圧搾し、次いで、液不透過性のバックシート、吸収体、及び当該圧搾物を順に積層することにより製造することができる。
【００７２】
クッション部の外縁近傍に、少なくともトップシート及び吸収体を圧搾することにより形成された圧搾部を有することにより、例えば、経血を吸収した後のウェット時において、トップシートが吸収体から剥離しにくく、中高部の外周部におけるクッション部の密度の高さを保持することができる。
【００７３】
なお、本明細書において、クッション部に関する「外縁近傍」は、クッション部の外縁のみならず、クッション部の外縁よりも内側及びクッション部の外縁よりも外側を含む概念である。また、「近傍」は、吸収性物品の平面方向において、クッション部の中心から、クッション部の外縁までの距離の、好ましくは±１５％の範囲、より好ましくは±１０％の範囲、そしてさらに好ましくは±５％の範囲を意味する。
なお、クッション部に関する「中心」は、吸収性物品の長手方向及び幅方向の中心を意味する。
【００７４】
図１〜５に示される実施形態では、クッション部の外側に、トップシート及び吸収体を連続的に圧搾することにより形成された圧搾部が存在するが、本開示の別の実施形態における吸収性物品では、クッション部の外側に、トップシート及び吸収体を間欠的に圧搾することにより形成された圧搾部が存在する。
【００７５】
本発明のさらに別の実施形態における吸収性物品では、クッション部の縁に、トップシート、クッション部及び吸収体を連続的又は間欠的に圧搾することにより形成された圧搾部が存在し、そして本発明のさらに別の実施形態における吸収性物品では、クッション部の縁に、クッション部のみを連続的又は間欠的に圧搾することにより形成された圧搾部が存在する。
【００７６】
上記クッション部の、吸収性物品に組み込まれる前の形状は、特に制限されないが、例えば、吸収性物品の厚さ方向の投影図が小陰唇と類似の形状、例えば、略円形、略楕円形、略角丸長方形、２本の弧に囲まれた図形等であることができる。
【００７７】
また、上記クッション部は、吸収性物品の厚さ方向の厚さが一定であることができ、厚さが中心から外縁に向かって厚くなることができ、又は厚さが中心から外縁に向かって薄くなることができる。
【００７８】
なお、クッション部の厚さが中心から外縁に向かって薄くなる場合には、吸収体及びトップシートを圧搾した場合等に、中高部の外周部におけるクッション部の密度が、中高部の中央部におけるクッション部の密度よりも高くなりにくい場合があることから、上記密度差を有するクッション部を含む吸収性物品では、クッション部としては、厚さが一定であるか、又は厚さが中心から外縁に向かって厚くなるものが好ましい。
さらに、上記クッション部は、その坪量が場所によって異なっていてもよい。
【００７９】
図９は、吸収性物品に組み込まれる前のクッション部の形状の例を示す図である。図９（ａ）に示されるクッション部６は、吸収性物品の厚さ方向の投影図が略楕円形であり且つ厚さが一定である。図９（ｂ）に示されるクッション部６は、吸収性物品の厚さ方向の投影図が２本の弧から成る形状であり且つ厚さが一定である。図９（ｃ）に示されるクッション部６は、吸収性物品の厚さ方向の投影図が略角丸長方形であり且つ厚さが一定である。図９（ｄ）に示されるクッション部６は、吸収性物品の厚さ方向の投影図が略楕円形であり且つ厚さが中心から外縁に向かって薄くなる。
【００８０】
中高部の中央部におけるクッション部の密度は、好ましくは約０．００１〜０．１ｇ／ｃｍ3、より好ましくは約０．００５〜約０．０８ｇ／ｃｍ3、そしてさらに好ましくは約０．０１〜約０．０５ｇ／ｃｍ3である。上記密度が約０．００１ｇ／ｃｍ3未満であると、吸収性物品に幅方向の圧縮が加わっていない場合に、吸収性物品が凸状変形する場合があり、クッション部の反発力が小さく、凸状変形した吸収性物品を、元の形に戻すことが難しい場合があり、そして経血を吸収した後のウェット時に、圧縮回復性が不十分となる傾向がある。上記密度が約０．１ｇ／ｃｍ3より大きいと、クッション部の反発力が過度に大きく、吸収性物品が凸状変形しにくく、着用者が脚を閉じた際に、ヨレが生じる場合があり、そして着用者の小陰唇にそって変形し、小陰唇にフィットすることが難しくなる傾向がある。
【００８１】
中高部の中央部及び外周部におけるクッション部の密度は、以下のように測定することができる。
（１）２次元レーザー変位計を用いて、測定すべき位置のクッション部の厚さｔ（ｃｍ）を測定する。上記２次元レーザー変位計としては、例えば、キーエンス株式会社製  高精度２次元レーザー変位計  ＬＪ−Ｇシリーズ（型式：ＬＪ−Ｇ０３０）が挙げられる。なお、測定すべき位置のクッション部の厚さは、測定すべき位置の吸収性物品の厚さから、クッション部の存在しない領域の厚さを減ずることにより算出することができる。
【００８２】
（２）吸収性物品からクッション部を取り出し、その坪量ｂ（ｇ／ｍ2）を測定する。クッション部の坪量が場所によって異なる場合には、測定すべき位置を中心とし、１５ｍｍ×１５ｍｍ程度の試料を採取し、坪量ｂ（ｇ／ｍ2）を測定する。
（３）密度ｄ（ｇ／ｃｍ3）を、下記式：
ｄ＝ｂ／（１０，０００×ｔ）
に従って算出する。
【００８３】
なお、上記式からも明らかなように、クッション部の坪量が一定の場合には、クッション部の異なる位置における密度の比は、単にそれらの厚さによって比較することができる。すなわち、クッション部の坪量が一定の場合には、クッション部の厚さが薄いほど、クッション部の密度がより高いことを意味する。
【００８４】
上記密度差を有するクッション部を含む吸収性物品では、中高部の外周部におけるクッション部の密度は、中高部の中央部におけるクッション部の密度よりも高く、好ましくは約１．１〜約５．０倍高く、より好ましくは約１．２〜約４．０倍高く、そしてさらに好ましくは約１．５〜約３．０倍高い。上記比率が約１．１倍未満であると、ウェット時において、中高部の外周部におけるクッション部の圧縮回復性が不十分となる傾向があり、そして上記比率が約５．０倍より大きいと、中高部の外周部におけるクッション部の剛性が高く、着用者が異物感を覚えやすい傾向がある。
【００８５】
上記クッション部は、好ましくは約３０〜約３００ｍｍ、より好ましくは約４０〜約２５０ｍｍ、そしてさらに好ましくは約５０〜約１００ｍｍの、吸収性物品の長手方向の長さと、好ましくは約１０〜約１００ｍｍ、より好ましくは約２０〜約７０ｍｍ、そしてさらに好ましくは約２５〜約５０ｍｍの、吸収性物品の幅方向の長さとを有する。
【００８６】
クッション部のサイズが上記範囲にあることにより、中高部が着用者の排泄口、特に、小陰唇にフィットし、漏れを抑制することができる。クッション部のサイズが上記範囲よりも小さいと、中高部が着用者の排泄口、特に、小陰唇にフィットせず、漏れが生じやすくなり、そしてクッション部のサイズが上記範囲よりも大きいと、着用時に違和感を覚えやすく、また、小陰唇との隙間も生じやすく、漏れが生じやすくなる。
【００８７】
なお、本明細書において、特に記載がない限り、「長手方向」は、吸収性物品の長手方向を意味し、「幅方向」は、吸収性物品の幅方向を意味し、そして「厚さ方向」は、吸収性物品の厚さ方向を意味する。
【００８８】
上記クッション部は、ウマＥＤＴＡ血２ｇを吸収させた後に、ウマＥＤＴＡ血を吸収させる前と比較して、約５０％以上の最大厚さを保持することが好ましく、約６０％以上の最大厚さを保持することがより好ましく、そして約７０％以上の最大厚さを保持することがさらに好ましい。上記最大厚さを保持することにより、経血を吸収後のウェット時においても、クッション部を含む中高部が潰れにくく、中高部が着用者の排泄口、特に、小陰唇にフィットし、漏れを少なくすることができる。
【００８９】
２ｇのウマＥＤＴＡ血を滴下する理由は、人間が１回に排泄する経血の量が、おおむね２ｇと言われているためである。クッション部にウマＥＤＴＡ血を吸収させるために、ウマＥＤＴＡ血２ｇを、ピペットを用いてクッション部全体に滴下するが、クッション部が撥水性素材を含む場合等、ウマＥＤＴＡ血がクッション部に入り込みにくい場合には、クッション部を加圧しながら、ウマＥＤＴＡ血をクッション部に吸収させてもよい。
【００９０】
なお、ウマＥＤＴＡ血２ｇを吸収させた後のクッション部の最大厚さは、ウマＥＤＴＡ血を全て吸収させてから１分経過後に測定することができる。また、クッション部の最大厚さは、上述の２次元レーザー変位計を用いて測定することができる。
なお、ＥＤＴＡ血については、後述する。
【００９１】
本開示の実施形態の１つに従う吸収性物品では、図１に示されるように、吸収性物品が、中高部を内側に向けて湾曲する湾曲構造を有する。吸収性物品が湾曲構造を有することにより、吸収性物品が着用者の体の曲線によりフィットし、吸収した経血がより漏れにくくなると考えられる。上記湾曲構造は、例えば、吸収性物品の長手方向の両側部に、弾性部材、例えば、糸ゴム、伸縮フィルム等を通し、吸収性物品の長手方向の両側部に張力をかけることにより形成されうる。本開示の別の実施形態に従う吸収性物品では、吸収性物品が、中高部を内側に向けて湾曲していない、フラット構造を有する。
【００９２】
本開示のいくつかの実施形態に従う吸収性物品では、液透過性のトップシートが、肌当接面に、吸収性物品の長手方向に延びる、複数の畝部と、複数の溝部とを有する（本明細書において、吸収性物品の長手方向に延びる、複数の畝部と、複数の溝部とを有するトップシートを、単に、畝溝構造を有するトップシートと称する場合がある）。上記トップシートは、特開２００８−０２５０７８号、特開２００８−０２５０７９号等に記載の方法に従って製造することができる。
【００９３】
また、本開示のいくつかの実施形態に従う吸収性物品では、トップシートが、特開２０１１−２２６０１０号、特開２０１１−２２６０１１号等に記載の方法に従って製造された、畝溝構造を有するトップシートである。上記畝溝構造を有するトップシートは、搬送方向と直交する回転軸線を有する一対のギアロールであって、当該ギアロールのそれぞれの外周面に配置された複数の歯を互いに噛み合わせながら回転するものの間隙に、処理すべきトップシートを通し、流体処理することにより形成されうる。
【００９４】
具体的には、上記ギアロールの延伸倍率は、好ましくは約１０５％以上であり、より好ましくは約１０５〜約５００％であり、さらに好ましくは約１２０〜３００％であり、そしてさらに好ましくは約１３０〜約２００％である。上記延伸倍率が約１０５％未満であると、トップシートの延伸性が不十分であり、吸収性物品の製造時に、クッション部が潰れやすくなり、そして上記延伸倍率が約５００％より大きいと、吸収性物品の製造時に、トップシートが破れやすくなる傾向がある。
【００９５】
なお、上記延伸倍率は、ギアピッチをＰとし、ギア噛込深さをＤとした場合に、次の式：
【数１】
0005726121.tif 000002
により算出される値を意味する。
【００９６】
本開示のいくつかの実施形態に従う吸収性物品では、液透過性のトップシートが、複数のスリットを有する。液透過性のトップシートが、当該トップシートを貫通する複数のスリットを有することにより、吸収性物品の製造の際に、スリットが拡幅し、クッション部が過度に潰れることを防止することができる。上記複数のスリットを有するトップシートは、縦長のスリットが千鳥状に配置されているスリットロールに、トップシートを通すことにより形成することができる。
【００９７】
上記複数のスリットを有するトップシートは、例えば、特表２００２−５２８１７４号に記載されるように製造することができる。
本発明の別の実施形態に従う吸収性物品では、液透過性のトップシートが、複数のピン開孔部を有する。
【００９８】
畝溝構造、スリット、ピン開孔部等を有するトップシートは、吸収性物品の製造時に、トップシートの畝溝構造の形状の変化、スリット及びピン開孔部の開閉等により、クッション部が過度に潰れることを防止することができる。当該観点から、トップシートの畝溝構造、スリット、ピン開孔部等は、少なくともクッション部と接する部分、すなわち、中高部を構成する部分に存在することが好ましいが、これらは、トップシート全体に存在してもよい。
【００９９】
本開示の吸収性物品は、長方形、楕円型、瓢箪型等、任意の形状であることができ、そして衣服、例えば、ショーツとのズレを防止する、いわゆる、フラップを有していてもよい。
また、本開示の吸収性物品は、着用者の排泄口、特に、小陰唇にフィットし、漏れを生じさせにくいため、そのサイズを小さくすることができ、本開示の吸収性物品は、好ましくは約１００〜約５００ｍｍ、より好ましくは約１２０〜約３５０ｍｍ、そしてさらに好ましくは約１５０〜約２５０ｍｍの長手方向の長さと、好ましくは約４０〜約２００ｍｍ、より好ましくは約４５〜約１８０ｍｍ、そしてさらに好ましくは約５０〜１００ｍｍの幅方向の長さとを有する。
【０１００】
本開示の吸収性物品において、吸収体は、好ましくは約８０〜約３５０ｍｍ、より好ましくは約１００〜３００ｍｍ、そしてさらに好ましくは約１２０〜２５０ｍｍの長手方向の長さを有する。吸収性物品の中で剛性の高い吸収体が過度の大きさを有すると、中高部が、排泄口、特に、小陰唇と接触することが難しくなるからである。例えば、臀部は、着用者が歩く、座る等の際に変化の非常に大きい部位であり、臀部に接する部分の吸収体にヨレが生じると、排泄口、特に、小陰唇に接する部分の吸収体も、つられてヨレが生じやすい傾向がある。
【０１０１】
本開示の吸収性物品において、吸収体は、好ましくは約３０〜約１００ｍｍ、より好ましくは約３５〜約８０ｍｍ、そしてさらに好ましくは約４０〜約７０ｍｍの幅方向の長さを有する。吸収体の幅が、着用者の股間の幅よりも過度に大きいと、吸収体が変形することにより、経血が他の領域に拡散するか、そして／又は転写され、吸収した経血が漏れる場合があるからである。
【０１０２】
本開示の吸収性物品において、吸収体は、好ましくは約１００〜約１，０００ｇ／ｍ2、より好ましくは約１５０〜７００ｇ／ｍ2、そしてさらに好ましくは約２００〜約５００ｇ／ｍ2の平均坪量を有する。上記平均坪量が約１００ｇ／ｍ2を下回ると、折れ軸とは無関係に吸収性物品が変形する傾向がある。上記平均坪量が、約１，０００ｇ／ｍ2を上回ると、圧搾部及び折れ軸が形成されにくい場合があり、そして折れ軸を起点として吸収性物品が折り曲がりにくい傾向がある。
【０１０３】
本開示の実施形態の１つに従う吸収性物品では、吸収体の幅方向の中央領域の坪量が、側縁領域の坪量より少なく、吸収体の幅方向の中央領域の坪量が、側縁領域の坪量と比較して、好ましくは約８０％以下、より好ましくは約１〜約８０％、さらに好ましくは約１０〜約７０％、そしてさらに好ましくは約３０〜約５０％の範囲にある。吸収体の幅方向の中央領域の坪量が、側縁領域の坪量より少ないことにより、吸収性物品が、折れ軸を起点に凸状変形しやすくなる。
なお、本明細書では、吸収体の幅方向に関する「中央領域」は、吸収体の幅方向中心から、吸収体の幅方向端部までの距離の０〜２０％の領域を意味する。
【０１０４】
幅方向の中央領域の坪量が、幅方向の側縁領域の坪量より少ない吸収体は、例えば、吸収体が主に粉砕パルプを含む場合には、中央領域に粉砕パルプが積層されにくくすることにより、そして吸収体がエアレイドパルプシート等の積層シートを含む場合は、中央領域の積層数を少なくすることにより製造することができる。
【０１０５】
本開示の別の実施形態に従う吸収性物品では、中高部が、約０．００〜約０．６０のＩＯＢと、約４５℃以下の融点と、２５℃の水１００ｇに対する、約０．００〜約０．０５ｇの水溶解度とを有する血液改質剤を含む。
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【０１０６】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【０１０７】
【表１】
0005726121.tif 000003
【０１０８】
例えば、炭素数１４のテトラデカン酸と、炭素数１２のドデシルアルコールとのエステルの場合には、有機性値が５２０（ＣＨ2，２０×２６個）、無機性値が６０（−ＣＯＯＲ，６０×１個）となるため、ＩＯＢ＝０．１２となる。
【０１０９】
上記血液改質剤において、ＩＯＢは、約０．００〜約０．６０であり、約０．００〜約０．５０であることが好ましく、約０．００〜約０．４０であることがより好ましく、そして約０〜約０．３０であることがさらに好ましい。ＩＯＢが低いほど、有機性が高く、血球との親和性が高くなると考えられるからである。
【０１１０】
本明細書において、「融点」は、示差走査熱量分析計において、昇温速度１０℃／分で測定した場合の、固形状から液状に変化する際の吸熱ピークのピークトップ温度を意味する。上記融点は、例えば、島津製作所社製のＤＳＣ−６０型ＤＳＣ測定装置を用いて測定することができる。
【０１１１】
上記血液改質剤は、約４５℃以下の融点を有すれば、室温で液体であっても、又は固体であってもよい、すなわち、融点が約２５℃以上でも、又は約２５℃未満でもよく、そして例えば、約−５℃、約−２０℃等の融点を有することができる。上記血液改質剤の融点が約４５℃以下である根拠は、後述する。
【０１１２】
上記血液改質剤は、その融点に下限は存在しないが、その蒸気圧が低いことが好ましい。上記血液改質剤の蒸気圧は、１気圧及び２５℃で約０．００〜約０．０１Ｐａであることが好ましく、約０．０００〜約０．００１Ｐａであることがより好ましく、そして約０．００００〜約０．０００１Ｐａであることがさらに好ましい。本開示の吸収性物品が、人体に接して用いられることを考慮すると、上記蒸気圧は、１気圧及び４０℃で約０．００〜約０．０１Ｐａであることが好ましく、約０．０００〜約０．００１Ｐａであることがより好ましく、そして約０．００００〜約０．０００１Ｐａであることがさらに好ましい。蒸気圧が高いと、保存中に気化し、血液改質剤の量の減少、着用時の臭気等の問題が発生する場合があるからである。
【０１１３】
また、血液改質剤の融点を、気候、着用時間の長さ等に応じて、使い分けることができる。例えば、平均気温が約１０℃以下の地域では、約１０℃以下の融点を有する血液改質剤を採用することにより、経血が排泄された後、周囲温度によって冷却された場合であっても、血液改質剤が、安定して血液を改質することができると考えられる。
また、吸収性物品が長時間にわたって使用される場合には、血液改質剤の融点は、４５℃以下の範囲で高い方が好ましい。汗、着用時の摩擦等の影響を受けにくく、長時間着用した場合であっても、血液改質剤が移動しにくいからである。
【０１１４】
０．００〜０．０５ｇの水溶解度は、２５℃において、１００ｇの脱イオン水に、０．０５ｇの試料を添加し、２４時間静置し、２４時間後に、必要に応じて軽く攪拌し、次いで、試料が溶解したか否か目視で評価することにより測定することができる。
なお、本明細書では、水溶解度に関して、「溶解」には、試料が脱イオン水に完全に溶解し、均一混合物を形成した場合と、試料が完全にエマルション化した場合とが含まれる。なお、「完全」とは、脱イオン水に、試料の塊が存在しないことを意味する。
【０１１５】
当技術分野では、血液の表面張力等を変化させ、血液を迅速に吸収することを目的として、トップシートの表面を、界面活性剤でコーティングすることが行われている。しかし、界面活性剤は、一般に水溶解度が高いため、界面活性剤がコーティングされたトップシートは、血液中の親水性成分（血漿等）となじみがよく、むしろ血液をトップシートに残存させるようにはたらく傾向がある。上記血液改質剤は、水溶解度が低いため、従来公知の界面活性剤と異なり、血液をトップシートに残存させず、迅速に吸収体に移行させることができると考えられる。
【０１１６】
本明細書において、２５℃における、１００ｇの水に対する溶解度を、単に、「水溶解度」と称する場合がある。
【０１１７】
本明細書において、「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【０１１８】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
なお、本明細書の実施例に記載される重量平均分子量は、上記条件により測定したものである。
【０１１９】
上記血液改質剤は、好ましくは、次の（ｉ）〜（ｉｉｉ）、
（ｉ）炭化水素、
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【０１２０】
本明細書において、「炭化水素」は、炭素と水素とから成る化合物を意味し、鎖状炭化水素、例えば、パラフィン系炭化水素（二重結合及び三重結合を含まない、アルカンとも称される）、オレフィン系炭化水素（二重結合を１つ含む、アルケンとも称される）、アセチレン系炭化水素（三重結合を１つ含む、アルキンとも称される）、及び二重結合及び三重結合から成る群から選択される結合を２つ以上含む炭化水素、並びに環状炭化水素、例えば、芳香族炭化水素、脂環式炭化水素が挙げられる。
【０１２１】
上記炭化水素としては、鎖状炭化水素及び脂環式炭化水素であることが好ましく、鎖状炭化水素であることがより好ましく、パラフィン系炭化水素、オレフィン系炭化水素、及び二重結合を２つ以上含む炭化水素（三重結合を含まない）であることがさらに好ましく、そしてパラフィン系炭化水素であることがさらに好ましい。
上記鎖状炭化水素には、直鎖状炭化水素及び分岐鎖状炭化水素が含まれる。
【０１２２】
上記（ｉｉ）及び（ｉｉｉ）の化合物において、オキシ基（−Ｏ−）が２つ以上挿入されている場合には、各オキシ基（−Ｏ−）は隣接していない。従って、上記（ｉｉ）及び（ｉｉｉ）の化合物には、オキシ基が連続する化合物（いわゆる、過酸化物）は含まれない。
【０１２３】
また、上記（ｉｉｉ）の化合物では、炭化水素部分の少なくとも１つの水素原子が、カルボキシル基（−ＣＯＯＨ）で置換された化合物よりも、炭化水素部分の少なくとも１つの水素原子が、ヒドロキシル基（−ＯＨ）で置換された化合物の方が好ましい。表１に示すように、カルボキシル基は、経血中の金属等と結合し、無機性値が１５０から、４００以上へと大幅に上昇するため、カルボキシル基を有する血液改質剤は、使用時にＩＯＢの値が約０．６０を上回り、血球との親和性が低下する可能性があるからである。
【０１２４】
上記血液改質剤は、より好ましくは、次の（ｉ’）〜（ｉｉｉ’）、
（ｉ’）炭化水素、
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【０１２５】
上記（ｉｉ’）及び（ｉｉｉ’）の化合物において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【０１２６】
上記血液改質剤は、さらに好ましくは、炭化水素部分中に、炭素原子１０個当たり、カルボニル結合（−ＣＯ−）を約１．８個以下、エステル結合（−ＣＯＯ−）を２個以下、カーボネート結合（−ＯＣＯＯ−）を約１．５個以下、エーテル結合（−Ｏ−）を約６個以下、カルボキシル基（−ＣＯＯＨ）を約０．８個以下、そして／又はヒドロキシル基（−ＯＨ）を約１．２個以下有する化合物であることができる。
【０１２７】
上記血液改質剤は、さらに好ましくは、次の（Ａ）〜（Ｆ）、
（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル、
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル、
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル、
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ2〜Ｃ6アルキレングリコール、又はそのエステル若しくはエーテル、及び
（Ｆ）鎖状炭化水素、
並びにそれらの任意の組み合わせから成る群から選択される。
以下、（Ａ）〜（Ｆ）に従う血液改質剤について詳細に説明する。
【０１２８】
［（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル］
（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル（以下、「化合物（Ａ）」と称する場合がある）は、上述のＩＯＢ、融点及び水溶解度を有する限り、全てのヒドロキシル基がエステル化されていなくともよい。
【０１２９】
（Ａ１）鎖状炭化水素部分と、上記鎖状炭化水素部分の水素原子を置換する２〜４個のヒドロキシル基とを有する化合物（以下、「化合物（Ａ１）」と称する場合がある）としては、例えば、鎖状炭化水素テトラオール、例えば、アルカンテトラオール、例えば、ペンタエリトリトール、鎖状炭化水素トリオール、例えば、アルカントリオール、例えば、グリセリン、及び鎖状炭化水素ジオール、例えば、アルカンジオール、例えば、グリコールが挙げられる。
【０１３０】
（Ａ２）鎖状炭化水素部分と、上記鎖状炭化水素部分の水素原子を置換する１個のカルボキシル基とを有する化合物（以下、「化合物（Ａ２）」と称する場合がある）としては、例えば、炭化水素上の１つの水素原子が、１つのカルボキシル基（−ＣＯＯＨ）で置換された化合物、例えば、脂肪酸が挙げられる。
【０１３１】
化合物（Ａ）としては、例えば、（ａ1）鎖状炭化水素テトラオールと少なくとも１の脂肪酸とのエステル、（ａ2）鎖状炭化水素トリオールと少なくとも１の脂肪酸とのエステル、及び（ａ3）鎖状炭化水素ジオールと少なくとも１の脂肪酸とのエステルが挙げられる。
【０１３２】
［（ａ1）鎖状炭化水素テトラオールと少なくとも１の脂肪酸とのエステル］
上記鎖状炭化水素テトラオールと少なくとも１の脂肪酸とのエステルとしては、例えば、次の式（１）：
【化１】
0005726121.tif 000004
のペンタエリトリトールと脂肪酸とのテトラエステル、次の式（２）：
【化２】
0005726121.tif 000005
のペンタエリトリトールと脂肪酸とのトリエステル、次の式（３）：
【化３】
0005726121.tif 000006
のペンタエリトリトールと脂肪酸とのジエステル、次の式（４）：
【化４】
0005726121.tif 000007
のペンタエリトリトールと脂肪酸とのモノエステルが挙げられる。
（式中、Ｒ1〜Ｒ4は、それぞれ、鎖状炭化水素である）
【０１３３】
上記ペンタエリトリトールと脂肪酸とのエステルを構成する脂肪酸（Ｒ1ＣＯＯＨ、Ｒ2ＣＯＯＨ，Ｒ3ＣＯＯＨ，及びＲ4ＣＯＯＨ）としては、ペンタエリトリトールと脂肪酸とのエステルが、上記ＩＯＢ、融点及び水溶解度の要件を満たすものであれば、特に制限されないが、例えば、飽和脂肪酸、例えば、Ｃ2〜Ｃ30の飽和脂肪酸、例えば、酢酸（Ｃ2）（Ｃ2は、炭素数を示し、Ｒ1Ｃ、Ｒ2Ｃ，Ｒ3Ｃ又はＲ4Ｃの炭素数に相当する、以下同じ）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びにこれらの異性体（上述のものを除く）が挙げられる。
【０１３４】
上記脂肪酸はまた、不飽和脂肪酸であることができる。上記不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α-リノレン酸（Ｃ18）及びγ-リノレン酸（Ｃ18）、ピノレン酸（Ｃ18）、エレオステアリン酸、例えば、α-エレオステアリン酸（Ｃ18）及びβ-エレオステアリン酸（Ｃ18）、ミード酸（Ｃ20）、ジホモ-γ-リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【０１３５】
上記ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。
また、上記ペンタエリトリトールと脂肪酸とのエステルとしては、ＩＯＢを小さくし、より疎水性とするために、ジエステル、トリエステル又はテトラエステルであることが好ましく、トリエステル又はテトラエステルであることがより好ましく、そしてテトラエステルであることがさらに好ましい。
【０１３６】
上記ペンタエリトリトールと脂肪酸とのテトラエステルでは、ペンタエリトリトールと脂肪酸とのテトラエステルを構成する脂肪酸の炭素数の合計、すなわち、上記式（１）において、Ｒ1Ｃ、Ｒ2Ｃ、Ｒ3Ｃ及びＲ4Ｃ部分の炭素数の合計が１５の場合にＩＯＢが０．６０となる。従って、上記ペンタエリトリトールと脂肪酸とのテトラエステルでは、上記炭素数の合計が約１５以上である場合に、ＩＯＢが約０．００〜約０．６０の要件を満たす。
【０１３７】
上記ペンタエリトリトールと脂肪酸とのテトラエステルでは、例えば、ペンタエリトリトールと、ヘキサン酸（Ｃ6）、ヘプタン酸（Ｃ7）、オクタン酸（Ｃ8）、例えば、２−エチルヘキサン酸（Ｃ8）、ノナン酸（Ｃ9）、デカン酸（Ｃ10）及び／又はドデカン酸（Ｃ12）とのテトラエステルが挙げられる。
【０１３８】
上記ペンタエリトリトールと脂肪酸とのトリエステルでは、ペンタエリトリトールと脂肪酸とのトリエステルを構成する脂肪酸の炭素数の合計、すなわち、上記式（２）において、Ｒ1Ｃ、Ｒ2Ｃ及びＲ3Ｃ部分の炭素数の合計が１９の場合にＩＯＢが０．５８となる。従って、上記ペンタエリトリトールと脂肪酸とのトリエステルでは、脂肪酸の炭素数の合計が約１９以上である場合に、ＩＯＢが約０．００〜約０．６０の要件を満たす。
【０１３９】
上記ペンタエリトリトールと脂肪酸とのジエステルでは、ペンタエリトリトールと脂肪酸とのジエステルを構成する脂肪酸の炭素数の合計、すなわち、上記式（３）において、Ｒ1Ｃ及びＲ2Ｃ部分の炭素数の合計が２２の場合にＩＯＢが０．５９となる。従って、上記ペンタエリトリトールと脂肪酸とのジエステルでは、脂肪酸の炭素数の合計が約２２以上である場合に、ＩＯＢが約０．００〜約０．６０の要件を満たす。
【０１４０】
上記ペンタエリトリトールと脂肪酸とのモノエステルでは、ペンタエリトリトールと脂肪酸とのモノエステルを構成する脂肪酸の炭素数、すなわち、上記式（４）において、Ｒ1Ｃ部分の炭素数が２５の場合にＩＯＢが０．６０となる。従って、上記ペンタエリトリトールと脂肪酸とのモノエステルでは、脂肪酸の炭素数が約２５以上である場合に、ＩＯＢが約０．００〜約０．６０の要件を満たす。
なお、上記計算に当たっては、二重結合、三重結合、ｉｓｏ分岐、及びｔｅｒｔ分岐の影響は、考慮していない。
【０１４１】
上記ペンタエリトリトールと脂肪酸とのエステルの市販品としては、ユニスター  Ｈ−４０８ＢＲＳ、Ｈ−２４０８ＢＲＳ−２２（混合品）等（以上、日油株式会社製）が挙げられる。
【０１４２】
［（ａ2）鎖状炭化水素トリオールと少なくとも１の脂肪酸とのエステル］
上記鎖状炭化水素トリオールと少なくとも１の脂肪酸とのエステルとしては、例えば、次の式（５）：
【化５】
0005726121.tif 000008
のグリセリンと脂肪酸とのトリエステル、次の式（６）：
【化６】
0005726121.tif 000009
のグリセリンと脂肪酸とのジエステル、及び次の式（７）：
【化７】
0005726121.tif 000010
（式中、Ｒ5〜Ｒ7は、それぞれ、鎖状炭化水素である）
のグリセリンと脂肪酸とのモノエステルが挙げられる。
【０１４３】
上記グリセリンと脂肪酸とのエステルを構成する脂肪酸（Ｒ5ＣＯＯＨ、Ｒ6ＣＯＯＨ及びＲ7ＣＯＯＨ）としては、グリセリンと脂肪酸とのエステルが、上記ＩＯＢ、融点及び水溶解度の要件を満たすものであれば、特に制限されず、例えば、「（ａ1）鎖状炭化水素テトラオールと少なくとも１の脂肪酸とのエステル」において列挙される脂肪酸、すなわち、飽和脂肪酸及び不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。
【０１４４】
また、上記グリセリンと脂肪酸とのエステルとしては、ＩＯＢを小さくし、より疎水性とするために、ジエステル又はトリエステルであることが好ましく、そしてトリエステルであることがより好ましい。
【０１４５】
上記グリセリンと脂肪酸とのトリエステルは、トリグリセリドとも称され、例えば、グリセリンとオクタン酸（Ｃ8）とのトリエステル、グリセリンとデカン酸（Ｃ10）とのトリエステル、グリセリンとドデカン酸（Ｃ12）とのトリエステル、及びグリセリンと、２種又は３種の脂肪酸とのトリエステル、並びにこれらの混合物が挙げられる。
【０１４６】
上記グリセリンと、２種以上の脂肪酸とのトリエステルとしては、例えば、グリセリンと、オクタン酸（Ｃ8）及びデカン酸（Ｃ10）とのトリエステル、グリセリンと、オクタン酸（Ｃ8）、デカン酸（Ｃ10）及びドデカン酸（Ｃ12）とのトリエステル、グリセリンと、オクタン酸（Ｃ8）、デカン酸（Ｃ10）、ドデカン酸（Ｃ12）、テトラデカン酸（Ｃ14）、ヘキサデカン酸（Ｃ16）及びオクタデカン酸（Ｃ18）とのトリエステル等が挙げられる。
【０１４７】
上記グリセリンと脂肪酸とのトリエステルとしては、融点を約４５℃以下とするために、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約４０以下であることが好ましい。
【０１４８】
また、上記グリセリンと脂肪酸とのトリエステルでは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が１２の場合にＩＯＢが０．６０となる。従って、上記グリセリンと脂肪酸とのトリエステルでは、脂肪酸の炭素数の合計が約１２以上である場合に、ＩＯＢが約０．００〜約０．６０の要件を満たす。
上記グリセリンと脂肪酸とのトリエステルは、いわゆる、脂肪であり、人体を構成しうる成分であるため、安全性の観点から好ましい。
【０１４９】
上記グリセリンと脂肪酸とのトリエステルの市販品としては、トリヤシ油脂肪酸グリセリド、ＮＡ３６、パナセート８００、パナセート８００Ｂ及びパナセート８１０Ｓ、並びにトリＣ２Ｌ油脂肪酸グリセリド及びトリＣＬ油脂肪酸グリセリド（以上、日油株式会社製）等が挙げられる。
【０１５０】
上記グリセリンと脂肪酸とのジエステルは、ジグリセリドとも称され、例えば、グリセリンとデカン酸（Ｃ10）とのジエステル、グリセリンとドデカン酸（Ｃ12）とのジエステル、グリセリンとヘキサデカン酸（Ｃ16）とのジエステル、及びグリセリンと、２種の脂肪酸とのジエステル、並びにこれらの混合物が挙げられる。
【０１５１】
上記グリセリンと脂肪酸とのジエステルでは、グリセリンと脂肪酸とのジエステルを構成する脂肪酸の炭素数の合計、すなわち、式（６）において、Ｒ5Ｃ及びＲ6Ｃ部分の炭素数の合計が１６の場合にＩＯＢが０．５８となる。従って、上記グリセリンと脂肪酸とのジエステルでは、脂肪酸の炭素数の合計が約１６以上である場合に、ＩＯＢが約０．００〜約０．６０の要件を満たす。
【０１５２】
上記グリセリンと脂肪酸とのモノエステルは、モノグリセリドとも称され、例えば、グリセリンのイコサン酸（Ｃ20）モノエステル、グリセリンのドコサン酸（Ｃ22）モノエステル等が挙げられる。
上記グリセリンと脂肪酸とのモノエステルでは、グリセリンと脂肪酸とのモノエステルを構成する脂肪酸の炭素数、すなわち、式（７）において、Ｒ5Ｃ部分の炭素数が１９の場合にＩＯＢが０．５９となる。従って、上記グリセリンと脂肪酸とのモノエステルでは、脂肪酸の炭素数が約１９以上である場合に、ＩＯＢが約０．００〜約０．６０の要件を満たす。
【０１５３】
［（ａ3）鎖状炭化水素ジオールと少なくとも１の脂肪酸とのエステル］
上記鎖状炭化水素ジオールと少なくとも１の脂肪酸とのエステルとしては、例えば、Ｃ2〜Ｃ6の鎖状炭化水素ジオール、例えば、Ｃ2〜Ｃ6のグリコール、例えば、エチレングリコール、プロピレングリコール、ブチレングリコール、ペンチレングリコール又はヘキシレングリコールと、脂肪酸とのモノエステル又はジエステルが挙げられる。
【０１５４】
具体的には、上記鎖状炭化水素ジオールと少なくとも１の脂肪酸とのエステルとしては、例えば、次の式（８）：
Ｒ8ＣＯＯＣkＨ2kＯＣＯＲ9  （８）
（式中、ｋは、２〜６の整数であり、そしてＲ8及びＲ9は、それぞれ、鎖状炭化水素である）
のＣ2〜Ｃ6グリコールと脂肪酸とのジエステル、及び次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
【０１５５】
上記Ｃ2〜Ｃ6グリコールと脂肪酸とのエステルにおいて、エステル化すべき脂肪酸（式（８）及び式（９）において、Ｒ8ＣＯＯＨ及びＲ9ＣＯＯＨに相当する）としては、Ｃ2〜Ｃ6グリコールと脂肪酸とのエステルが、上記ＩＯＢ、融点及び水溶解度の要件を満たすものであれば、特に制限されず、例えば、「（ａ1）鎖状炭化水素テトラオールと少なくとも１の脂肪酸とのエステル」において列挙されている脂肪酸、すなわち、飽和脂肪酸及び不飽和脂肪酸が挙げられ、酸化等により変性する可能性を考慮すると、飽和脂肪酸が好ましい。
【０１５６】
式（８）に示されるブチレングリコール（ｋ＝４）と脂肪酸とのジエステルでは、Ｒ8Ｃ及びＲ9Ｃ部分の炭素数の合計が６の場合に、ＩＯＢが、０．６０となる。従って、式（８）に示されるブチレングリコール（ｋ＝４）と脂肪酸とのジエステルでは、上記炭素数の合計が約６以上の場合に、ＩＯＢが約０．００〜約０．６０の要件を満たす。また、式（９）に示されるエチレングリコール（ｋ＝２）と脂肪酸とのモノエステルでは、Ｒ8Ｃ部分の炭素数が１２の場合に、ＩＯＢが０．５７となる。従って、式（９）に示されるエチレングリコール（ｋ＝２）と脂肪酸とのモノエステルでは、脂肪酸の炭素数が約１２以上である場合に、ＩＯＢが約０．００〜約０．６０の要件を満たす。
【０１５７】
上記Ｃ2〜Ｃ6グリコールと脂肪酸とのエステルとしては、酸化等により変性する可能性を考慮すると、飽和脂肪酸に由来する、Ｃ2〜Ｃ6グリコールと脂肪酸とのエステル、すわなち、Ｃ2〜Ｃ6グリコールと飽和脂肪酸とのエステルであることが好ましい。
【０１５８】
また、上記Ｃ2〜Ｃ6グリコールと脂肪酸とのエステルとしては、ＩＯＢを小さくし、より疎水性とするために、炭素数の大きいグリコールに由来する、グリコールと脂肪酸とのエステル、例えば、ブチレングリコール、ペンチレングリコール又はヘキシレングリコールに由来するグリコールと脂肪酸とのエステルであることが好ましい。
【０１５９】
さらに、上記Ｃ2〜Ｃ6グリコールと脂肪酸とのエステルとしては、ＩＯＢを小さくし、より疎水性とするために、ジエステルであることが好ましい。
上記Ｃ2〜Ｃ6グリコールと脂肪酸とのエステルの市販品としては、例えば、コムポールＢＬ、コムポールＢＳ（以上、日油株式会社製）等が挙げられる。
【０１６０】
［（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル］
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル（以下、「化合物（Ｂ）」と称する場合がある）は、上述のＩＯＢ、融点及び水溶解度を有する限り、全てのヒドロキシル基がエーテル化されていなくともよい。
【０１６１】
（Ｂ１）鎖状炭化水素部分と、上記鎖状炭化水素部分の水素原子を置換する２〜４個のヒドロキシル基とを有する化合物としては、「化合物（Ａ）」において化合物（Ａ１）として列挙されるもの、例えば、ペンタエリトリトール、グリセリン、及びグリコールが挙げられる。
【０１６２】
（Ｂ２）鎖状炭化水素部分と、上記鎖状炭化水素部分の水素原子を置換する１個のヒドロキシル基とを有する化合物（以下、「化合物（Ｂ２）」と称する場合がある）としては、例えば、炭化水素の１個の水素原子が、１個のヒドロキシル基（−ＯＨ）で置換された化合物、例えば、脂肪族１価アルコール、例えば、飽和脂肪族１価アルコール及び不飽和脂肪族１価アルコールが挙げられる。
【０１６３】
上記飽和脂肪族１価アルコールとしては、例えば、Ｃ1〜Ｃ20の飽和脂肪族１価アルコール、例えば、メチルアルコール（Ｃ1）（Ｃ1は、炭素数を示す、以下同じ）、エチルアルコール（Ｃ2）、プロピルアルコール（Ｃ3）及びその異性体、例えば、イソプロピルアルコール（Ｃ3）、ブチルアルコール（Ｃ4）及びその異性体、例えば、ｓｅｃ−ブチルアルコール（Ｃ4）及びｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）及びその異性体、例えば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、及びエイコシルアルコール（Ｃ20）、並びにこれらの列挙されていない異性体が挙げられる。
【０１６４】
上記不飽和脂肪族１価アルコールとしては、上記飽和脂肪族１価アルコールのＣ−Ｃ単結合の１つを、Ｃ＝Ｃ二重結合で置換したもの、例えば、オレイルアルコールが挙げられ、例えば、新日本理化株式会社から、リカコールシリーズ及びアンジェコオールシリーズの名称で市販されている。
【０１６５】
化合物（Ｂ）としては、例えば、（ｂ1）鎖状炭化水素テトラオールと少なくとも１の脂肪族１価アルコールとのエーテル、例えば、モノエーテル、ジエーテル、トリエーテル及びテトラエーテル、好ましくはジエーテル、トリエーテル及びテトラエーテル、より好ましくはトリエーテル及びテトラエーテル、そしてさらに好ましくはテトラエーテル、（ｂ2）鎖状炭化水素トリオールと少なくとも１の脂肪族１価アルコールとのエーテル、例えば、モノエーテル、ジエーテル及びトリエーテル、好ましくはジエーテル及びトリエーテル、そしてより好ましくはトリエーテル、並びに（ｂ3）鎖状炭化水素ジオールと少なくとも１の脂肪族１価アルコールとのエーテル、例えば、モノエーテル及びジエーテル、そして好ましくはジエーテルが挙げられる。
【０１６６】
上記鎖状炭化水素テトラオールと少なくとも１の脂肪族１価アルコールとのエーテルとしては、例えば、次の式（１０）〜（１３）：
【化８】
0005726121.tif 000011
（式中、Ｒ10〜Ｒ13は、それぞれ、鎖状炭化水素である。）
の、ペンタエリトリトールと脂肪族１価アルコールとのテトラエーテル、トリエーテル、ジエーテル及びモノエーテルが挙げられる。
【０１６７】
上記鎖状炭化水素トリオールと少なくとも１の脂肪族１価アルコールとのエーテルとしては、例えば、次の式（１４）〜（１６）：
【化９】
0005726121.tif 000012
（式中、Ｒ14〜Ｒ16は、それぞれ、鎖状炭化水素である。）
の、グリセリンと脂肪族１価アルコールとのトリエーテル、ジエーテル及びモノエーテルが挙げられる。
【０１６８】
上記鎖状炭化水素ジオールと少なくとも１の脂肪族１価アルコールとのエーテルとしては、次の式（１７）：
Ｒ17ＯＣnＨ2nＯＲ18  （１７）
（式中、ｎは、２〜６の整数であり、そしてＲ17及びＲ18は、それぞれ、鎖状炭化水素である）
のＣ2〜Ｃ6グリコールと脂肪族１価アルコールとのジエーテル、及び次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
【０１６９】
上記ペンタエリトリトールと脂肪族１価アルコールとのテトラエーテルでは、ペンタエリトリトールと脂肪族１価アルコールとのテトラエーテルを構成する脂肪族１価アルコールの炭素数の合計、すなわち、上記式（１０）において、Ｒ10、Ｒ11、Ｒ12及びＲ13部分の炭素数の合計が４の場合にＩＯＢが０．４４となる。従って、上記ペンタエリトリトールと脂肪族１価アルコールとのテトラエーテルでは、脂肪族１価アルコールの炭素数の合計が約４以上である場合に、ＩＯＢが約０．００〜約０．６０の要件を満たす。
【０１７０】
上記ペンタエリトリトールと脂肪族１価アルコールとのトリエーテルでは、ペンタエリトリトールと脂肪族１価アルコールとのトリエーテルを構成する脂肪族１価アルコールの炭素数の合計、すなわち、上記式（１１）において、Ｒ10、Ｒ11及びＲ12部分の炭素数の合計が９の場合にＩＯＢが０．５７となる。従って、上記ペンタエリトリトールと脂肪族１価アルコールとのトリエーテルでは、脂肪族１価アルコールの炭素数の合計が約９以上である場合に、ＩＯＢが約０．００〜約０．６０の要件を満たす。
【０１７１】
上記ペンタエリトリトールと脂肪族１価アルコールとのジエーテルでは、ペンタエリトリトールと脂肪族１価アルコールとのジエーテルを構成する脂肪族１価アルコールの炭素数の合計、すなわち、上記式（１２）において、Ｒ10及びＲ11部分の炭素数の合計が１５の場合にＩＯＢが０．６０となる。従って、上記ペンタエリトリトールと脂肪族１価アルコールとのジエーテルでは、脂肪族１価アルコールの炭素数の合計が約１５以上である場合に、ＩＯＢが約０．００〜約０．６０の要件を満たす。
【０１７２】
上記ペンタエリトリトールと脂肪族１価アルコールとのモノエーテルでは、ペンタエリトリトールと脂肪族１価アルコールとのモノエーテルを構成する脂肪族１価アルコールの炭素数、すなわち、上記式（１３）において、Ｒ10部分の炭素数が２２の場合にＩＯＢが０．５９となる。従って、上記ペンタエリトリトールと脂肪族１価アルコールとのモノエーテルでは、脂肪族１価アルコールの炭素数が約２２以上である場合に、ＩＯＢが約０．００〜約０．６０の要件を満たす。
【０１７３】
また、上記グリセリンと脂肪族１価アルコールとのトリエーテルでは、グリセリンと脂肪族１価アルコールとのトリエーテルを構成する脂肪族１価アルコールの炭素数の合計、すなわち、式（１４）において、Ｒ14、Ｒ15及びＲ16部分の炭素数の合計が３の場合にＩＯＢが０．５０となる。従って、上記グリセリンと脂肪族１価アルコールとのトリエーテルでは、脂肪族１価アルコールの炭素数の合計が約３以上である場合に、ＩＯＢが約０．００〜約０．６０の要件を満たす。
【０１７４】
上記グリセリンと脂肪族１価アルコールとのジエーテルでは、グリセリンと脂肪族１価アルコールとのジエーテルを構成する脂肪族１価アルコールの炭素数の合計、すなわち、式（１５）において、Ｒ14及びＲ15部分の炭素数の合計が９の場合にＩＯＢが０．５８となる。従って、上記グリセリンと脂肪族１価アルコールとのジエーテルでは、脂肪族１価アルコールの炭素数の合計が約９以上である場合に、ＩＯＢが約０．００〜約０．６０の要件を満たす。
【０１７５】
上記グリセリンと脂肪族１価アルコールとのモノエーテルでは、グリセリンと脂肪族１価アルコールとのモノエーテルを構成する脂肪族１価アルコールの炭素数、すなわち、式（１６）において、Ｒ14部分の炭素数が１６の場合にＩＯＢが０．５８となる。従って、上記グリセリンと脂肪族１価アルコールとのモノエーテルでは、脂肪族１価アルコールの炭素数が約１６以上である場合に、ＩＯＢが約０．００〜約０．６０の要件を満たす。
【０１７６】
式（１７）に示されるブチレングリコール（ｎ＝４）と脂肪族１価アルコールとのジエーテルでは、Ｒ17及びＲ18部分の炭素数の合計が２の場合に、ＩＯＢが、０．３３となる。従って、式（１７）に示されるブチレングリコール（ｎ＝４）と脂肪族１価アルコールとのジエーテルでは、脂肪族１価アルコールの炭素数の合計が２以上の場合に、ＩＯＢが約０．００〜約０．６０の要件を満たす。また、式（１８）に示されるエチレングリコール（ｎ＝２）と脂肪族１価アルコールとのモノエーテルでは、Ｒ17部分の炭素数が８の場合に、ＩＯＢが０．６０となる。従って、式（１８）に示されるエチレングリコール（ｎ＝２）と脂肪族１価アルコールとのモノエーテルでは、脂肪族１価アルコールの炭素数が約８以上である場合に、ＩＯＢが約０．００〜約０．６０の要件を満たす。
【０１７７】
化合物（Ｂ）としては、化合物（Ｂ１）と、化合物（Ｂ２）とを、酸触媒の存在下で、脱水縮合することにより生成することができる。
【０１７８】
［（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル］
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル（以下、「化合物（Ｃ）」と称する場合がある）は、上述のＩＯＢ、融点及び水溶解度を有する限り、全てのカルボキシル基がエステル化されていなくともよい。
【０１７９】
（Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸（以下、「化合物（Ｃ１）」と称する場合がある)としては、例えば、２〜４個のカルボキシル基を有する鎖状炭化水素カルボン酸、例えば、鎖状炭化水素ジカルボン酸、例えば、アルカンジカルボン酸、例えば、エタン二酸、プロパン二酸、ブタン二酸、ペンタン二酸、ヘキサン二酸、ヘプタン二酸、オクタン二酸、ノナン二酸及びデカン二酸、鎖状炭化水素トリカルボン酸、例えば、アルカントリカルボン酸、例えば、プロパン三酸、ブタン三酸、ペンタン三酸、ヘキサン三酸、ヘプタン三酸、オクタン三酸、ノナン三酸及びデカン三酸、並びに鎖状炭化水素テトラカルボン酸、例えば、アルカンテトラカルボン酸、例えば、ブタン四酸、ペンタン四酸、ヘキサン四酸、ヘプタン四酸、オクタン四酸、ノナン四酸及びデカン四酸が挙げられる。
【０１８０】
また、化合物（Ｃ１）には、２〜４個のカルボキシル基を有する鎖状炭化水素ヒドロキシ酸、例えば、リンゴ酸、酒石酸、クエン酸、イソクエン酸等、２〜４個のカルボキシル基を有する鎖状炭化水素アルコキシ酸、例えば、Ｏ−アセチルクエン酸、及び２〜４個のカルボキシル基を有する鎖状炭化水素オキソ酸が含まれる。
（Ｃ２）鎖状炭化水素部分と、上記鎖状炭化水素部分の水素原子を置換する１個のヒドロキシル基とを有する化合物としては、「化合物（Ｂ）」の項で列挙されるもの、例えば、脂肪族１価アルコールが挙げられる。
【０１８１】
化合物（Ｃ）としては、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、例えば、モノエステル、ジエステル、トリエステル及びテトラエステル、好ましくはジエステル、トリエステル及びテトラエステル、より好ましくはトリエステル及びテトラエステル、そしてさらに好ましくはテトラエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、例えば、モノエステル、ジエステル及びトリエステル、好ましくはジエステル及びトリエステル、そしてより好ましくはトリエステル、並びに（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、例えば、モノエステル及びジエステル、好ましくはジエステルが挙げられる。
化合物（Ｃ）の例としては、アジピン酸ジオクチル、Ｏ−アセチルクエン酸トリブチル等が挙げられ、そして市販されている。
【０１８２】
［（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物］
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物（以下、「化合物（Ｄ）」と称する場合がある）としては、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートが挙げられる。
【０１８３】
［（ｄ1）脂肪族１価アルコールと脂肪族１価アルコールとのエーテル］
上記脂肪族１価アルコールと脂肪族１価アルコールとのエーテルとしては、次の式（１９）：
Ｒ19ＯＲ20    （１９）
（式中、Ｒ19及びＲ20は、それぞれ、鎖状炭化水素である）
を有する化合物が挙げられる。
【０１８４】
上記エーテルを構成する脂肪族１価アルコール（式（１９）において、Ｒ19ＯＨ及びＲ20ＯＨに相当する）としては、上記エーテルが、上記ＩＯＢ、融点及び水溶解度の要件を満たすものであれば、特に制限されず、例えば、「化合物（Ｂ）」の項で列挙される脂肪族１価アルコールが挙げられる。
【０１８５】
脂肪族１価アルコールと脂肪族１価アルコールとのエーテルでは、当該エーテルを構成する脂肪族１価アルコールの炭素数の合計、すなわち、上記式（１９）において、Ｒ19及びＲ20部分の炭素数の合計が２の場合にＩＯＢが０．５０となるため、当該炭素数の合計が約２以上であれば、上記ＩＯＢの要件を満たす。しかし、上記炭素数の合計が６程度では、水溶解度が約２ｇと高く、蒸気圧の観点からも問題がある。水溶解度が約０．００〜約０．０５ｇの要件を満たすためには、上記炭素数の合計が約８以上であることが好ましい。
【０１８６】
［（ｄ2）ジアルキルケトン］
上記ジアルキルケトンとしては、次の式（２０）：
Ｒ21ＣＯＲ22    （２０）
（式中、Ｒ21及びＲ22は、それぞれ、アルキル基である）
を有する化合物が挙げられる。
【０１８７】
上記ジアルキルケトンでは、Ｒ21及びＲ22の炭素数の合計が５の場合にＩＯＢが０．５４となるため、当該炭素数の合計が約５以上であれば、上記ＩＯＢの要件を満たす。しかし、上記炭素数の合計が５程度では、水溶解度が約２ｇと高い。従って、水溶解度が約０．００〜約０．０５ｇの要件を満たすためには、上記炭素数の合計が約８以上であることが好ましい。また、蒸気圧を考慮すると、上記炭素数は、約１０以上であることが好ましく、そして約１２以上であることが好ましい。
【０１８８】
なお、上記炭素数の合計が約８の場合、例えば、５−ノナノンでは、融点は約−５０℃であり、蒸気圧は２０℃で約２３０Ｐａである。
上記ジアルキルケトンは、市販されている他、公知の方法、例えば、第二級アルコールを、クロム酸等で酸化することにより得ることができる。
【０１８９】
［（ｄ3）脂肪酸と脂肪族１価アルコールとのエステル］
上記脂肪酸と脂肪族１価アルコールとのエステルとしては、例えば、次の式（２１）：
Ｒ23ＣＯＯＲ24  （２１）
（式中、Ｒ23及びＲ24は、それぞれ、鎖状炭化水素である）
を有する化合物が挙げられる。
【０１９０】
上記エステルを構成する脂肪酸（式（２１）において、Ｒ23ＣＯＯＨに相当する）としては、例えば、「（ａ1）鎖状炭化水素テトラオールと少なくとも１の脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。上記エステルを構成する脂肪族１価アルコール（式（２１）において、Ｒ24ＯＨに相当する）としては、例えば、「化合物（Ｂ）」の項で列挙される脂肪族１価アルコールが挙げられる。
【０１９１】
なお、上記脂肪酸と脂肪族１価アルコールとのエステルでは、脂肪酸及び脂肪族１価アルコールの炭素数の合計、すなわち、式（２１）において、Ｒ23Ｃ及びＲ24部分の炭素数の合計が５の場合にＩＯＢが０．６０となるため、Ｒ23Ｃ及びＲ24部分の炭素数の合計が約５以上である場合に、上記ＩＯＢの要件を満たす。しかし、例えば、上記炭素数の合計が６の酢酸ブチルでは、蒸気圧が２，０００Ｐａ超と高い。従って、蒸気圧を考慮すると、上記炭素数の合計が約１２以上であることが好ましい。なお、上記炭素数の合計が約１１以上であれば、水溶解度が約０．００〜約０．０５ｇの要件を満たすことができる。
【０１９２】
上記脂肪酸と脂肪族１価アルコールとのエステルの例としては、例えば、ドデカン酸（Ｃ12）と、ドデシルアルコール（Ｃ12）とのエステル、テトラデカン酸（Ｃ14）と、ドデシルアルコール（Ｃ12）とのエステル等が挙げられ、上記脂肪酸と脂肪族１価アルコールとのエステルの市販品としては、例えば、エレクトールＷＥ２０、及びエレクトールＷＥ４０（以上、日油株式会社製）が挙げられる。
【０１９３】
［（ｄ4）ジアルキルカーボネート］
上記ジアルキルカーボネートとしては、次の式（２２）：
Ｒ25ＯＣ（＝Ｏ）ＯＲ26    （２２）
（式中、Ｒ25及びＲ26は、それぞれ、アルキル基である）
を有する化合物が挙げられる。
【０１９４】
上記ジアルキルカーボネートでは、Ｒ25及びＲ26の炭素数の合計が６の場合にＩＯＢが０．５７となるため、Ｒ25及びＲ26の炭素数の合計が、約６以上であれば、ＩＯＢの要件を満たす。
水溶解度を考慮すると、Ｒ25及びＲ26の炭素数の合計が約７以上であることが好ましく、そして約９以上であることがより好ましい。
上記ジアルキルカーボネートは、市販されている他、ホスゲンとアルコールとの反応、塩化ギ酸エステルとアルコール又はアルコラートとの反応、及び炭酸銀とヨウ化アルキルとの反応により合成することができる。
【０１９５】
［（Ｅ）ポリオキシＣ2〜Ｃ6アルキレングリコール、又はそのエステル若しくはエーテル］
上記ポリオキシＣ2〜Ｃ6アルキレングリコール、又はそのエステル若しくはエーテル（以下、化合物（Ｅ）と称する場合がある）としては、（ｅ1）ポリオキシＣ2〜Ｃ6アルキレングリコール、（ｅ2）ポリオキシＣ2〜Ｃ6アルキレングリコールと少なくとも１の脂肪酸とのエステル、（ｅ3）ポリオキシＣ2〜Ｃ6アルキレングリコールと少なくとも１の脂肪族１価アルコールとのエーテル、（ｅ4）ポリオキシＣ2〜Ｃ6アルキレングリコールと、鎖状炭化水素テトラカルボン酸、鎖状炭化水素トリカルボン酸、又は鎖状炭化水素ジカルボン酸とのエステル、及び（ｅ5）ポリオキシＣ2〜Ｃ6アルキレングリコールと、鎖状炭化水素テトラオール、鎖状炭化水素トリオール、又は鎖状炭化水素ジオールとのエーテルが挙げられる。以下、説明する。
【０１９６】
［（ｅ1）ポリオキシＣ2〜Ｃ6アルキレングリコール］
上記ポリオキシＣ2〜Ｃ6アルキレングリコールは、ｉ）オキシＣ2〜Ｃ6アルキレン骨格、すなわち、オキシエチレン骨格、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【０１９７】
上記オキシＣ2〜Ｃ6アルキレン骨格は、ポリオキシＣ2〜Ｃ6アルキレングリコールのＩＯＢを低くする観点から、オキシプロピレン骨格、オキシブチレン骨格、オキシペンチレン骨格、又はオキシヘキシレン骨格であることが好ましく、オキシブチレン骨格、オキシペンチレン骨格又はオキシヘキシレン骨格であることがより好ましい。
【０１９８】
上記ポリオキシＣ2〜Ｃ6アルキレングリコールは、次の式（２３）：
ＨＯ−（ＣmＨ2mＯ）n−Ｈ      （２３）
（式中、ｍは２〜６の整数である）
により表わされうる。
【０１９９】
なお、本発明者が確認したところ、ポリエチレングリコール（式（２３）において、ｍ＝２のホモポリマーに相当する）は、ｎ≧４５（重量平均分子量が約２，０００超）の場合に、約０．００〜約０．６０のＩＯＢの要件を満たすものの、重量平均分子量が約４，０００を超えた場合であっても、水溶解度の要件を満たさなかった。従って、（ｅ1）ポリオキシＣ2〜Ｃ6アルキレングリコールには、エチレングリコールのホモポリマーは含まれないと考えられ、エチレングリコールは、他のグリコールとのブロックコポリマー又はランダムコポリマーとして、（ｅ1）ポリオキシＣ2〜Ｃ6アルキレングリコールに含まれるべきである。
【０２００】
従って、式（２３）のホモポリマーには、プロピレングリコール、ブチレングリコール、ペンチレングリコール又はヘキシレングリコールのホモポリマーが含まれうる。
以上より、式（２３）において、ｍは、約３〜約６であり、そして約４〜約６であることがより好ましく、そしてｎは２以上である。
【０２０１】
上記式（２３）において、ｎの値は、ポリＣ2〜Ｃ6アルキレングリコールが、約０．００〜約０．６０のＩＯＢと、約４５℃以下の融点と、２５℃の水１００ｇに対する、約０．００〜約０．０５ｇの水溶解度とを有するような値である。
例えば、式（２３）がポリプロピレングリコール（ｍ＝３のホモポリマー）である場合には、ｎ＝１２の場合に、ＩＯＢが０．５８となる。従って、式（２３）がポリプロピレングリコール（ｍ＝３のホモポリマー）である場合には、ｍ≧約１２の場合に、上記ＩＯＢの要件を満たす。
また、式（２１）がポリブチレングリコール（ｍ＝４のホモポリマー）である場合には、ｎ＝７の場合に、ＩＯＢが０．５７となる。従って、式（２３）がポリブチレングリコール（ｍ＝４のホモポリマー）である場合には、ｎ≧約７の場合に、上記ＩＯＢの要件を満たす。
【０２０２】
ＩＯＢ、融点及び水溶解度の観点から、ポリオキシＣ4〜Ｃ6アルキレングリコールの重量平均分子量は、好ましくは約２００〜約１０，０００、より好ましくは約２５０〜約８，０００、そしてさらに好ましくは、約２５０〜約５，０００の範囲にある。
【０２０３】
また、ＩＯＢ、融点及び水溶解度の観点から、ポリオキシＣ3アルキレングリコール、すなわち、ポリプロピレングリコールの重量平均分子量は、好ましくは約１，０００〜約１０，０００、より好ましくは約３，０００〜約８，０００、そしてさらに好ましくは、約４，０００〜約５，０００の範囲にある。上記重量平均分子量が約１，０００未満では、水溶解度が要件を満たさず、そして重量平均分子量が大きいほど、特に、吸収体移行速度及びトップシートの白さが向上する傾向があるからである。
【０２０４】
上記ポリオキシＣ2〜Ｃ6アルキレングリコールの市販品としては、例えば、ユニオール（商標）Ｄ−１０００，Ｄ−１２００，Ｄ−２０００，Ｄ−３０００，Ｄ−４０００，ＰＢ−５００，ＰＢ−７００，ＰＢ−１０００及びＰＢ−２０００（以上、日油株式会社製）が挙げられる。
【０２０５】
［（ｅ2）ポリオキシＣ2〜Ｃ6アルキレングリコールと少なくとも１の脂肪酸とのエステル］
上記ポリオキシＣ2〜Ｃ6アルキレングリコールと少なくとも１の脂肪酸とのエステルとしては、「（ｅ1）ポリオキシＣ2〜Ｃ6アルキレングリコール」の項で説明したポリオキシＣ2〜Ｃ6アルキレングリコールのＯＨ末端の一方又は両方が、脂肪酸によりエステル化されているもの、すなわち、モノエステル及びジエステルが挙げられる。
【０２０６】
ポリオキシＣ2〜Ｃ6アルキレングリコールと少なくとも１の脂肪酸とのエステルにおいて、エステル化すべき脂肪酸としては、例えば、「（ａ1）鎖状炭化水素テトラオールと少なくとも１の脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。
上記ポリオキシＣ2〜Ｃ6アルキレングリコールと脂肪酸とのエステルの市販品としては、例えば、ウィルブライトｃｐ９（日油株式会社製）が挙げられる。
【０２０７】
［（ｅ3）ポリオキシＣ2〜Ｃ6アルキレングリコールと少なくとも１の脂肪族１価アルコールとのエーテル］
上記ポリオキシＣ2〜Ｃ6アルキレングリコールと少なくとも１の脂肪族１価アルコールとのエーテルとしては、「（ｅ1）ポリオキシＣ2〜Ｃ6アルキレングリコール」の項で説明したポリオキシＣ2〜Ｃ6アルキレングリコールのＯＨ末端の一方又は両方が、脂肪族１価アルコールによりエーテル化されているもの、すなわち、モノエーテル及びジエーテルが挙げられる。
【０２０８】
ポリオキシＣ2〜Ｃ6アルキレングリコールと少なくとも１の脂肪族１価アルコールとのエーテルにおいて、エーテル化すべき脂肪族１価アルコールとしては、例えば、「化合物（Ｂ）」の項で列挙されている脂肪族１価アルコールが挙げられる。
【０２０９】
［（ｅ4）ポリオキシＣ2〜Ｃ6アルキレングリコールと、鎖状炭化水素テトラカルボン酸、鎖状炭化水素トリカルボン酸、又は鎖状炭化水素ジカルボン酸とのエステル］
上記ポリオキシＣ2〜Ｃ6アルキレングリコールと、鎖状炭化水素テトラカルボン酸、鎖状炭化水素トリカルボン酸、又は鎖状炭化水素ジカルボン酸とのエステルにおいて、エステル化すべきポリオキシＣ2〜Ｃ6アルキレングリコールとしては、「（ｅ1）ポリオキシＣ2〜Ｃ6アルキレングリコール」の項で説明したポリオキシＣ2〜Ｃ6アルキレングリコールが挙げられる。また、エステル化すべき鎖状炭化水素テトラカルボン酸、鎖状炭化水素トリカルボン酸、及び鎖状炭化水素ジカルボン酸としては、「化合物（Ｃ）」の項で説明されるものが挙げられる。
【０２１０】
上記ポリオキシＣ2〜Ｃ6アルキレングリコールと、鎖状炭化水素テトラカルボン酸、鎖状炭化水素トリカルボン酸、又は鎖状炭化水素ジカルボン酸とのエステルは、市販されているほか、鎖状炭化水素テトラカルボン酸、鎖状炭化水素トリカルボン酸、又は鎖状炭化水素ジカルボン酸に、オキシＣ2〜Ｃ6アルキレングリコールを、公知の条件で重縮合させることにより製造することができる。
【０２１１】
［（ｅ5）ポリオキシＣ2〜Ｃ6アルキレングリコールと、鎖状炭化水素テトラオール、鎖状炭化水素トリオール、又は鎖状炭化水素ジオールとのエーテル］
上記ポリオキシＣ2〜Ｃ6アルキレングリコールと、鎖状炭化水素テトラオール、鎖状炭化水素トリオール、又は鎖状炭化水素ジオールとのエーテルにおいて、エーテル化すべきポリオキシＣ2〜Ｃ6アルキレングリコールとしては、「（ｅ1）ポリオキシＣ2〜Ｃ6アルキレングリコール」の項で説明したポリオキシＣ2〜Ｃ6アルキレングリコールが挙げられる。また、エーテル化すべき鎖状炭化水素テトラオール、鎖状炭化水素トリオール、及び鎖状炭化水素ジオールとしては、「化合物（Ａ）」の項で説明されるもの、例えば、ペンタエリトリトール、グリセリン、及びグリコールが挙げられる。
【０２１２】
上記ポリオキシＣ2〜Ｃ6アルキレングリコールと、鎖状炭化水素テトラオール、鎖状炭化水素トリオール、又は鎖状炭化水素ジオールとのエーテルの市販品としては、例えば、ユニルーブ（商標）５ＴＰ−３００ＫＢ，並びにユニオール（商標）ＴＧ−３０００及びＴＧ−４０００（日油株式会社製）が挙げられる。
ユニルーブ（商標）５ＴＰ−３００ＫＢは、ペンタエリトリトール１モルに、プロピレングリコール６５モルと、エチレングリコール５モルとを重縮合させた化合物であり、そのＩＯＢは０．３９であり、融点は４５℃未満であり、そして水溶解度は０．０５ｇ未満であった。
【０２１３】
ユニオール（商標）ＴＧ−３０００は、グリセリン１モルに、プロピレングリコール５０モルを重縮合させた化合物であり、そのＩＯＢは０．４２であり、融点は４５℃未満であり、水溶解度は０．０５ｇ未満であり、そして重量平均分子量は約３，０００であった。
ユニオール（商標）ＴＧ−４０００は、グリセリン１モルに、プロピレングリコール７０モルを重縮合させた化合物であり、そのＩＯＢは０．４０であり、融点は４５℃未満であり、水溶解度は０．０５ｇ未満であり、そして重量平均分子量は約４，０００であった。
【０２１４】
上記ポリオキシＣ2〜Ｃ6アルキレングリコールと、鎖状炭化水素テトラオール、鎖状炭化水素トリオール、又は鎖状炭化水素ジオールとのエーテルはまた、鎖状炭化水素テトラオール、鎖状炭化水素トリオール、又は鎖状炭化水素ジオールに、Ｃ2〜Ｃ6アルキレンオキシドを、公知の条件で付加させることにより製造することができる。
【０２１５】
［（Ｆ）鎖状炭化水素］
上記鎖状炭化水素は、上記無機性値が０であることから、ＩＯＢが０．００であり、そして水溶解度がほぼ０ｇであるので、融点が約４５℃以下のものであれば、上記血液改質剤に含まれうる。上記鎖状炭化水素としては、例えば、（ｆ1）鎖状アルカン、例えば、直鎖アルカン及び分岐鎖アルカンが挙げられ、例えば、直鎖アルカンの場合には、融点が約４５℃以下であることを考慮すると、おおむね、炭素数が２２以下のものが含まれる。また、蒸気圧を考慮すると、おおむね、炭素数が１３以上のものが含まれる。分岐鎖アルカンの場合には、直鎖アルカンよりも、同一炭素数において、融点が低くなる場合があるため、炭素数が２２以上のものも含まれうる。
上記炭化水素の市販品としては、例えば、パールリーム６（日油株式会社）が挙げられる。
【０２１６】
上記血液改質剤は、実施例と共に詳細に考察するが、血液の粘度及び表面張力を下げる作用を少なくとも有することが見いだされた。吸収性物品が吸収すべき経血は、通常の血液と比較して、子宮内膜壁等のタンパク質を含むため、それらが血球同士を繋ぐように作用して、血球が連銭した状態をとりやすい。そのため、吸収性物品が吸収すべき経血は、高粘度となりやすく、トップシートが不織布又は織布である場合には、経血が繊維の間に目詰まりしやすく、着用者はベタつき感を覚えやすく、そしてトップシートの表面で経血が拡散し、漏れやすくなる。
【０２１７】
中高部が、血液の粘度及び表面張力を下げる作用を少なくとも有することが見いだされた血液改質剤を含む実施形態では、トップシートが不織布又は織布である場合には、トップシートの繊維の間、及びクッション部内で経血が目詰まりしにくく、経血をトップシートから、クッション部を介して、吸収体に迅速に移行させることが可能となる。特に、本開示の吸収性物品では、中高部において、トップシートと吸収体の間にクッション部を有するため、トップシートと吸収体との間の間隔が、従来の吸収性物品よりも大きくなる傾向がある。従って、中高部が血液改質剤を含む場合には、トップシートに到達した血液を、クッション部を介して、迅速に吸収体に移行させることができるため、より漏れにくくなると考えられる。
【０２１８】
また、ＩＯＢが約０．００〜約０．６０である血液改質剤は、有機性が高く、血球の間に入り込みやすいので、血球を安定化させ、血球に連銭構造を形成しにくくすることができると考えられる。
【０２１９】
上記改質剤が、血球を安定化させ、血球に連銭構造を形成しにくくすることにより、吸収体が経血を吸収しやすくなると考えられる。例えば、アクリル系高吸収ポリマー、いわゆる、ＳＡＰを含む吸収性物品では、経血を吸収すると、連銭した血球がＳＡＰ表面を覆い、ＳＡＰが吸収性能を発揮しにくくなることが知られているが、血球を安定化することにより、ＳＡＰが吸収性能を発揮しやすくなると考えられる。また、赤血球と親和性の高い血液改質剤が、赤血球膜を保護するため、赤血球が破壊されにくくなると考えられる。
【０２２０】
上記液透過性のトップシートとしては、当技術分野で通常用いられているものを、特に制限なく採用することができ、例えば、血液を透過する構造を有するシート状材料、例えば、開孔フィルム、織布、不織布等が挙げられる。上記織布及び不織布を構成する繊維として、天然繊維及び化学繊維が挙げられ、天然繊維としては、例えば、粉砕パルプ、コットン等のセルロースが挙げられ、化学繊維としては、例えば、レーヨン、フィブリルレーヨン等の再生セルロース、アセテート、トリアセテート等の半合成セルロース、熱可塑性疎水性化学繊維、並びに親水化処理を施した熱可塑性疎水性化学繊維が挙げられる。
【０２２１】
上記熱可塑性疎水性化学繊維としては、例えば、ポリエチレン（ＰＥ）、ポリプロピレン（ＰＰ）、ポリエチレンテレフタレート（ＰＥＴ）等の単繊維、ＰＥ及びＰＰのグラフト重合物からなる繊維が挙げられる。
上記不織布の例としては、例えば、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０２２２】
上記液不透過性のバックシートとしては、ＰＥ、ＰＰ等を含むフィルム、通気性を有する樹脂フィルム、スパンボンド又はスパンレース等の不織布に通気性を有する樹脂フィルムを接合したもの、ＳＭＳ等の複層不織布等が挙げられる。吸収性物品の柔軟性を考慮すると、例えば、坪量約１５〜約３０ｇ／ｍ2の低密度ポリエチレン（ＬＤＰＥ）フィルムが好ましい。
【０２２３】
上記吸収体の第１の例としては、吸収コアが、コアラップで覆われているものが挙げられる。
上記吸収コアの構成要素としては、例えば、親水性繊維、例えば、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、及び親水化処理された熱可塑性疎水性化学繊維、並びにこれらの組み合わせ等が挙げられる。また、上記吸収コアの構成要素として、高吸収性ポリマー、例えば、アクリル酸ナトリウムコポリマー等の粒状物が挙げられる。
【０２２４】
上記コアラップとしては、液透過性で高分子吸収体が透過しないバリアー性を有する物であれば、特に制限されず、例えば、織布、不織布等が挙げられる。上記織布及び不織布としては、天然繊維、化学繊維、ティッシュ等が挙げられる。
【０２２５】
上記吸収体の第２の例としては、吸収シート又はポリマーシートから形成されたものが挙げられ、その厚さは、約０．３〜約５．０ｍｍであることが好ましい。上記吸収シート及びポリマーシートとしては、通常、生理用ナプキン等の吸収性物品に用いられるものであれば特に制限なく用いることができる。
また、上記血液改質剤は、トップシートの平面方向に関しては、トップシートの全面、膣口付近の中心領域等、任意の場所に存在することができる。
【０２２６】
また、中高部が上記血液改質剤を含む実施形態において、液透過性のトップシートが不織布又は織布から形成されている場合には、上記血液改質剤が、不織布又は織布の繊維間の空隙を閉塞しないことが好ましく、上記血液改質剤は、例えば、不織布の繊維の表面に、液滴状又は粒子状で付着しているか、又は繊維の表面を覆うことができる。
【０２２７】
一方、中高部が上記血液改質剤を含む実施形態において、液透過性のトップシートが開孔フィルムから形成されている場合には、上記血液改質剤は、開孔フィルムの開孔を閉塞しないことが好ましく、上記血液改質剤は、例えば、開孔フィルムの表面に、液滴状又は粒子状で付着していることができる。上記血液改質剤が、不織布又は織布の繊維間の空隙または開孔フィルムの開孔を閉塞すると、吸収した液体の吸収体への移行を阻害することがあるからである。
また、中高部が上記血液改質剤を含む実施形態において、上記血液改質剤は、吸収した血液に迅速に移行するために、その表面積が大きいことが好ましく、液滴状又は粒子状で存在する血液改質剤は、粒径が小さいことが好ましい。
【０２２８】
中高部が上記血液改質剤を含む実施形態において、血液改質剤が塗布される資材、例えば、トップシートが合成樹脂からなる不織布、開孔フィルムである場合には、これらは、親水剤がコーティングされるか、又は混合されることにより、親水化処理されていることが好ましい。元々の資材が親水性を有すると、次いで約０．００〜約０．６０のＩＯＢを有し、有機性が高く且つ親油性の改質剤が塗布されるため、親油性領域と、親水性領域とがまばらに共存することになる。それにより、親水性成分（血漿等）と、親油性成分（血球等）から成る経血に対して、一定の吸収性能を発揮することができると考えられる。
【０２２９】
中高部が上記血液改質剤を含む実施形態において、上記血液改質剤の塗布方法は、特に制限されるものではなく、必要に応じて加熱され、例えば、非接触式のコーター、例えば、スパイラルコーター、カーテンコーター、スプレーコーター、ディップコーター等、接触式のコーター等により塗布されることができる。液滴状又は粒子状の改質剤が全体に均一に分散される点、及び資材にダメージを与えない観点から、非接触式のコーターが好ましい。また、上記血液改質剤は、室温で液体の場合にはそのまま、又は粘度を下げるために加熱し、そして室温で固体の場合には液化するように加熱して、コントロールシームＨＭＡガンから塗布することができる。コントロールシームＨＭＡガンのエアー圧を高くすることにより、微粒子状の血液改質剤を塗布することができる。
【０２３０】
中高部が上記血液改質剤を含む実施形態において、上記血液改質剤は、トップシートの素材、例えば、不織布を製造する際に塗布されることができ、又は吸収性物品を製造する製造ラインにおいて塗布されることもできる。中高部が上記血液改質剤を含む実施形態にでは、設備投資を抑制する観点からは、吸収性物品の製造ラインにおいて、血液改質剤を塗布することが好ましく、血液改質剤が脱落し、ラインを汚染することを抑制するためには、製造ラインの川下工程、具体的には、製品を個包装に封入する直前に、血液改質剤を塗布することが好ましい。
【０２３１】
中高部が上記血液改質剤を含む実施形態において、上記血液改質剤は、潤滑剤としての作用も有することができる。トップシートが不織布である場合には、繊維同士の摩擦を低減させることができるため、不織布全体のしなやかさが向上する。また、トップシートが樹脂フィルムの場合には、トップシートと肌との摩擦を低減することができる。
【０２３２】
中高部が上記血液改質剤を含む実施形態において、上記血液改質剤は、約２，０００以下の重量平均分子量を有することが好ましく、そして１，０００以下の重量平均分子量を有することがより好ましい。重量平均分子量が大きくなると、血液改質剤の粘度を、塗工に適した粘度に下げることが難しくなり、溶媒で希釈すべき場合が生ずるからである。また、重量平均分子量が大きくなると、血液改質剤にタック性が生じ、着用者に不快感を与える場合があるからである。
【０２３３】
上記吸収性物品は、血液を吸収することを目的とする吸収性物品、例えば、生理用ナプキン、パンティーライナー等に好適である。
【実施例】
【０２３４】
以下、例を挙げて本発明を説明するが、本発明はこれらの例に限定されるものではない。
［製造例１］
トップシートとして、ポリエチレン（ＰＥ）の鞘と、ポリエチレンテレフタレート（ＰＥＴ）の芯とから形成された芯鞘構造を有し、親水処理された複合繊維（繊度：２．８ｄｔｅｘの）から成るエアスルー不織布(坪量：３０ｇ／ｍ2）を準備した。
【０２３５】
クッション部として、ポリエチレン（ＰＥ）の鞘と、ポリエチレンテレフタレート（ＰＥＴ）の芯とから形成された芯鞘構造を有し、親水処理された複合繊維（繊度：２．２ｄｔｅｘ）から成るエアスルー不織布（坪量：３０ｇ／ｍ2）を準備した。吸収性物品に組み込む前のクッション部は、図９（ｃ）に示すような、吸収性物品の厚さ方向の投影図が略角丸長方形であり且つ厚さが一定である形状を有し、そして長手方向の長さが７０ｍｍであり、幅方向の長さが３０ｍｍであった。
【０２３６】
上記クッション部の圧縮力を、本明細書に記載される方法に従って測定した。なお、スタンド（及び稼働台）として、日本電産シンポ（株）製のデジタルフォースゲージ用スタント、ＦＧＳ−５０Ｘ−Ｈを用い、デジタルフォースゲージとして、日本電産シンポ（株）製のデジタルフォースゲージ、ＦＧＰ−０．５に、押しアダプタ（正方形、一辺の長さ：１５ｍｍ）をセットしたものを用い、そして圧縮パーツとしては、ＡＳ−ｏｎｅ製のプラスチック製シャーレ（質量：３８．５ｇ，直径：１００ｍｍ，高さ：３０ｍｍ）を用いた。なお、上記クッション部を、上記装置を用いて圧縮したところ、クッション部の幅方向の中心部が盛り上がり、凸状に変形した。
【０２３７】
パルプ及びＳＡＰ（９０：１０，質量比）のブレンド（坪量：２５０ｇ／ｍ2）を、ティッシュ（坪量：１４ｇ／ｍ2）で巻き、図６（ａ）に示されるような菱形の複数の圧搾部を、図６（ａ）とは異なり約０．４ｍｍ間隔で形成することにより、折り軸を形成し、そして図６（ａ）に示す形状にカット（長手方向の長さ：約１５０ｍｍ）した。なお、菱形の圧搾部は、２本の対角線が共に約０．７ｍｍであった。
バックシートとして、ＰＥを含むフィルム（坪量：２３ｇ／ｍ2）の片面に、接着剤が塗布されたものを準備した。
【０２３８】
上記吸収体、クッション部、及びトップシートを順に積層し、図１〜５に示されるように、吸収体及びトップシートを圧搾し、中高部を形成した。なお、中高部の形成に当たり、クッション部の外側が圧搾されており、クッション部そのものは、圧搾されていなかった。次いで、吸収体とバックシートとを接着し、図１〜５に示されるようにカットすることにより、吸収性物品Ｎｏ．１−１を製造した。吸収性物品Ｎｏ．１−１において、中高部の長手方向の長さは、約７０ｍｍであり、中高部の幅方向の長さは、約３５ｍｍであった。また、吸収性物品Ｎｏ．１−１の長手方向の長さは、約１７６ｍｍであり、そしてその幅方向の長さは、約８０ｍｍであった。
【０２３９】
［製造例２〜８］
クッション部を構成するエアスルー不織布の平均坪量を、下記表２に記載されるとおりに変更した以外は、製造例１に従って、吸収性物品Ｎｏ．１−２〜Ｎｏ．１−８を製造した。
吸収性物品Ｎｏ．１−２〜Ｎｏ．１−８の圧縮力を下記表２に併せて示す。
【０２４０】
［例１］
吸収性物品Ｎｏ．１−１〜Ｎｏ．１−８を、それぞれ、複数枚準備し、複数の被験者に着用してもらい、下記の基準に従って、折り曲がり性と、吸収性物品が折り曲がった状態からの回復性とを評価してもらった。
○：折り曲がり性及び回復性に問題なし。
×：折り曲がり性及び／又は回復性に問題があった。
結果を、下記表２に示す。
【０２４１】
なお、吸収性物品Ｎｏ．１−１〜Ｎｏ．１−８において、クッション部は、圧搾されたトップシートと吸収体との引張力により、断面形状が、図４及び図５に示されるように、アーチ状となっていた。従って、クッション部は、中高部の外周部の厚さが、中高部の中央部の厚さよりも薄いので、中高部の外周部におけるクッション部の密度が、中高部の中央部におけるクッション部の密度よりも高いことは明らかである。
【０２４２】
【表２】
0005726121.tif 000013
【０２４３】
［製造例９］
血液改質剤として、パナセート８１０ｓ（日油株式会社製、グリセリンと脂肪酸とのトリエステル）を選択し、吸収性物品Ｎｏ．１−４の中高部を中心に、室温において、コントロールシームＨＭＡガンから５．０ｇ／ｍ2の坪量で、パナセート８１０ｓを塗工することにより、吸収性物品Ｎｏ．２−１を製造した。電子顕微鏡で確認したところ、パナセート８１０ｓは、微粒子状で、中高部のトップシートの繊維の表面に付着していた。
【０２４４】
［例２］
吸収性物品Ｎｏ．１−４を１０名の被験者に着用してもらったところ、計２０回の試験において、漏れが少ないとの回答を得た。また、ドライ時と、ウェット時との両方において、脚の動きに追従して変形し、フィット性に優れるとの回答を得た。
次いで、吸収性物品Ｎｏ．２−１を１０名の被験者に着用してもらったところ、延べ２０回の試験において、吸収性物品Ｎｏ．１−４と比較して、表面汚れの面積が少なく且つ漏れも少ないとの回答を得た。
【０２４５】
［例３］
［その他の血液改質剤のデータ］
市販の生理用ナプキンを準備した。当該生理用ナプキンは、親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとから形成されていた。
【０２４６】
以下に、実験に用いられた血液改質剤を列挙する。
［（ａ1）鎖状炭化水素テトラオールと少なくとも１の脂肪酸とのエステル］
・ユニスター  Ｈ−４０８ＢＲＳ，日油株式会社製
テトラ２−エチルヘキサン酸ペンタエリトリトール，重量平均分子量：約６４０
・ユニスター  Ｈ−２４０８ＢＲＳ−２２，日油株式会社製
テトラ２−エチルヘキサン酸ペンタエリトリトールと、ジ２−エチルヘキサン酸ネオペンチルグリコールとの混合物（５８：４２，質量比），重量平均分子量：約５２０
【０２４７】
［（ａ2）鎖状炭化水素トリオールと少なくとも１の脂肪酸とのエステル］
・Ｃｅｔｉｏｌ  ＳＢ４５ＤＥＯ，コグニスジャパン株式会社製
脂肪酸が、オレイン酸又はステアリル酸である、グリセリンと脂肪酸とのトリエステル
・ＳＯＹ４２，日油株式会社製
Ｃ14の脂肪酸：Ｃ16の脂肪酸：Ｃ18の脂肪酸：Ｃ20の脂肪酸（飽和脂肪酸及び不飽和脂肪酸の両方を含む）がおおよそ０．２：１１：８８：０．８の質量比で含まれている、グリセリンと脂肪酸とのトリエステル，重量平均分子量：８８０
【０２４８】
・トリＣ２Ｌ油脂肪酸グリセリド，日油株式会社製
Ｃ8の脂肪酸：Ｃ10の脂肪酸：Ｃ12の脂肪酸がおおよそ３７：７：５６の質量比で含まれている、グリセリンと脂肪酸とのトリエステル，重量平均分子量：約５７０
・トリＣＬ油脂肪酸グリセリド，日油株式会社製
Ｃ8の脂肪酸：Ｃ12の脂肪酸がおおよそ４４：５６の質量比で含まれている、グリセリンと脂肪酸とのトリエステル，重量平均分子量：約５７０
【０２４９】
・パナセート８１０ｓ，日油株式会社製
Ｃ8の脂肪酸：Ｃ10の脂肪酸がおおよそ８５：１５の質量比で含まれている、グリセリンと脂肪酸とのトリエステル，重量平均分子量：約４８０
・パナセート８００，日油株式会社製
脂肪酸が全てオクタン酸（Ｃ8）である、グリセリンと脂肪酸とのトリエステル，重量平均分子量：約４７０
【０２５０】
・パナセート８００Ｂ，日油株式会社製
脂肪酸が全て２−エチルヘキサン酸（Ｃ8）である、グリセリンと脂肪酸とのトリエステル，重量平均分子量：約４７０
・ＮＡ３６，日油株式会社製
Ｃ16の脂肪酸：Ｃ18の脂肪酸：Ｃ20の脂肪酸（飽和脂肪酸及び不飽和脂肪酸の両方を含む）がおおよそ５：９２：３の質量比で含まれている、グリセリンと脂肪酸とのトリエステル，重量平均分子量：約８８０
【０２５１】
・トリヤシ油脂肪酸グリセリド，日油株式会社製
Ｃ8の脂肪酸：Ｃ10の脂肪酸：Ｃ12の脂肪酸：Ｃ14の脂肪酸：Ｃ16の脂肪酸（飽和脂肪酸及び不飽和脂肪酸の両方を含む）がおおよそ４：８：６０：２５：３の質量比で含まれている、グリセリンと脂肪酸とのトリエステル，重量平均分子量：６７０
・カプリル酸ジグリセリド，日油株式会社製
脂肪酸がオクタン酸である、グリセリンと脂肪酸とのジエステル，重量平均分子量：３４０
【０２５２】
［（ａ3）鎖状炭化水素ジオールと少なくとも１の脂肪酸とのエステル］
・コムポールＢＬ，日油株式会社製
ブチレングリコールのドデカン酸（Ｃ12）モノエステル，重量平均分子量：約２７０
・コムポールＢＳ，日油株式会社製
ブチレングリコールのオクタデカン酸（Ｃ18）モノエステル，重量平均分子量：約３５０
・ユニスター  Ｈ−２０８ＢＲＳ，日油株式会社製
ジ２−エチルヘキサン酸ネオペンチルグリコール，重量平均分子量：約３６０
【０２５３】
［（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル］
・Ｏ−アセチルクエン酸トリブチル，東京化成工業株式会社製
重量平均分子量：約４００
【０２５４】
［（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル］
・アジピン酸ジオクチル，和光純薬工業製
重量平均分子量：約３８０
【０２５５】
［（ｄ3）脂肪酸と脂肪族１価アルコールとのエステル］
・エレクトールＷＥ２０，日油株式会社製
ドデカン酸（Ｃ12）と、ドデシルアルコール（Ｃ12）とのエステル，重量平均分子量：約３６０
・エレクトールＷＥ４０，日油株式会社製
テトラデカン酸（Ｃ14）と、ドデシルアルコール（Ｃ12）とのエステル，重量平均分子量：約３９０
【０２５６】
［（ｅ1）ポリオキシＣ2〜Ｃ6アルキレングリコール］
・ユニオールＤ−１０００，日油株式会社製
ポリプロピレングリコール，重量平均分子量：約１，０００
・ユニオールＤ−１２００，日油株式会社製
ポリプロピレングリコール，重量平均分子量：約１，２００
・ユニオールＤ−３０００，日油株式会社製
ポリプロピレングリコール，重量平均分子量：約３，０００
【０２５７】
・ユニオールＤ−４０００，日油株式会社製
ポリプロピレングリコール，重量平均分子量：約４，０００
・ユニオールＰＢ５００，日油株式会社製
ポリブチレングリコール，重量平均分子量：約５００
・ユニオールＰＢ７００，日油株式会社製
ポリオキシブチレンポリオキシプロピレングリコール，重量平均分子量：約７００
【０２５８】
・ユニオールＰＢ１０００Ｒ，日油株式会社製
ポリブチレングリコール，重量平均分子量：約１０００
［（ｅ2）ポリオキシＣ2〜Ｃ6アルキレングリコールと少なくとも１の脂肪酸とのエステル］
・ウィルブライトｃｐ９，日油株式会社製
ポリブチレングリコールの両末端のＯＨ基が、ヘキサデカン酸（Ｃ16）によりエステル化された化合物，重量平均分子量：約１，１５０
【０２５９】
［（ｅ3）ポリオキシＣ2〜Ｃ6アルキレングリコールと少なくとも１の脂肪酸とのエーテル］
・ユニルーブＭＳ−７０Ｋ，日油株式会社製
ポリプロピレングリコールのステアリルエーテル，約１５の繰返し単位，重量平均分子量：約１，１４０
【０２６０】
［（ｅ5）ポリオキシＣ2〜Ｃ6アルキレングリコールと、鎖状炭化水素テトラオール、鎖状炭化水素トリオール、又は鎖状炭化水素ジオールとのエーテル］
・ユニルーブ５ＴＰ−３００ＫＢ
ペンタエリトリトール１モルに、エチレンオキシド５モルと、プロピレンオキシド６５モルとを付加させることにより生成した、ポリオキシエチレンポリオキシプロピレンペンタエリスリトールエーテル，重量平均分子量：４，１３０
【０２６１】
・ユニオール  ＴＧ−３０００，日油株式会社製
ポリプロピレングリコールのグリセリルエーテル，約１６の繰返し単位，重量平均分子量：約３，０００
・ユニオール  ＴＧ−４０００，日油株式会社製
ポリプロピレングリコールのグリセリルエーテル，約１６の繰返し単位，重量平均分子量：約４，０００
【０２６２】
［（ｆ1）鎖状アルカン］
・パールリーム６，日油株式会社製
流動イソパラフィン、イソブテン及びｎ-ブテンを共重合し、次いで水素を付加することにより生成された分岐鎖炭化水素、重合度：約５〜約１０，重量平均分子量：約３３０
【０２６３】
［その他の材料］
・ＮＡ５０，日油株式会社製
ＮＡ３６に水素を付加し、原料である不飽和脂肪酸に由来する二重結合の比率を下げたグリセリンと脂肪酸とのトリエステル，重量平均分子量：約８８０
・（カプリル酸／カプリン酸）モノグリセリド，日油株式会社製
オクタン酸（Ｃ8）及びデカン酸（Ｃ10）がおおよそ８５：１５の質量比で含まれている、グリセリンと脂肪酸とのモノエステル，重量平均分子量：約２２０
・Ｍｏｎｏｍｕｌｓ  ９０−Ｌ２ラウリン酸モノグリセリド，コグニスジャパン株式会社製
【０２６４】
・クエン酸イソプロピル，東京化成工業株式会社製
重量平均分子量：約２３０
・リンゴ酸ジイソステアリル
重量平均分子量：約６４０
・ユニオールＤ−４００，日油株式会社製
ポリプロピレングリコール，重量平均分子量：約４００
【０２６５】
・ＰＥＧ１５００，日油株式会社製
ポリエチレングリコール，重量平均分子量：約１，５００〜約１，６００
・ノニオンＳ−６，日油株式会社製
ポリオキシエチレンモノステアレート、約７の繰返し単位、重量平均分子量：約８８０
・ウィルブライトｓ７５３，日油株式会社製
ポリオキシエチレンポリオキシプロピレンポリオキシブチレングリセリン，重量平均分子量：約９６０
【０２６６】
・ユニオール  ＴＧ−３３０，日油株式会社製
ポリプロピレングリコールのグリセリルエーテル，約６の繰返し単位，重量平均分子量：約３３０
・ユニオール  ＴＧ−１０００，日油株式会社製
ポリプロピレングリコールのグリセリルエーテル，約１６の繰返し単位，重量平均分子量：約１，０００
【０２６７】
・ユニルーブ  ＤＧＰ−７００，日油株式会社製
ポリプロピレングリコールのジグリセリルエーテル，約９の繰返し単位，重量平均分子量：約７００
・ユニオックスＨＣ６０，日油株式会社製
ポリオキシエチレン硬化ヒマシ油，重量平均分子量：約３，５７０
・ワセリン，コグニスジャパン株式会社製
石油に由来する炭化水素、半固形
【０２６８】
上記試料の、ＩＯＢ，融点及び水溶解度を、下記表３に示す。
なお、水溶解度は、上述の方法に従って測定したが、１００ｇの脱塩水に、２０．０ｇを添加し、２４時間後に溶解した試料は、「２０ｇ＜」と評価し、そして１００ｇの脱塩水に、０．０５ｇは溶解したが、１．００ｇは溶解しなかった試料は、０．０５〜１．００ｇと評価した。
また、融点に関し、「＜４５」は、融点が４５℃未満であることを意味する。
【０２６９】
上記生理用ナプキンのトップシートの肌当接面を、上述の血液改質剤で塗工した。各血液改質剤を、血液改質剤が室温で液体である場合にはそのまま、そして血液改質剤が室温で固体である場合には、融点＋２０℃まで加熱し、次いで、コントロールシームＨＭＡガンを用いて、各血液改質剤を微粒化し、トップシートの肌当接面の全体に、坪量がおおよそ５ｇ／ｍ2となるように塗布した。
【０２７０】
図１０は、トップシートがトリＣ２Ｌ油脂肪酸グリセリドを含む生理用ナプキン（Ｎｏ．３−５）における、トップシートの肌当接面の電子顕微鏡写真である。図１０から明らかなように、トリＣ２Ｌ油脂肪酸グリセリドは、微粒子状で、繊維の表面に付着している。
【０２７１】
［試験方法］
各血液改質剤を含むトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）３ｇを、ピペットを用いて滴下（１回目）し、１分後、３７±１℃のウマＥＤＴＡ血３ｇを、アクリル板の穴から、ピペットで再度滴下した（２回目）。
【０２７２】
２回目の血液の滴下後、直ちに上記アクリル板を外し、血液を滴下した場所に、ろ紙（アドバンテック東洋株式会社  定性濾紙Ｎｏ．２，５０ｍｍ×３５ｍｍ）１０枚を置き、その上から、圧力が３０ｇ／ｃｍ2となるようにおもりを置いた。１分後、上記ろ紙を取出し、以下の式に従って、「リウェット率」を算出した。
リウェット率（％）＝１００×（試験後のろ紙質量−当初のろ紙質量）／６
【０２７３】
また、リウェット率の評価とは別に、２回目の血液の滴下後、血液がトップシートから吸収体に移行する時間である「吸収体移行速度」を測定した。上記吸収体移行速度は、トップシートに血液を投入してから、トップシートの表面及び内部に、血液の赤さが見られなくなるまでの時間を意味する。
リウェット率と、吸収体移行速度の結果を、以下の表３に示す。
【０２７４】
吸収体移行速度の試験後のトップシートの肌当接面の白さを、以下の基準に従って、目視で評価した。
◎：血液の赤さがほとんど残っておらず、血液が存在した場所と、存在していない場所との区別がつかない
○：血液の赤さが若干残っているが、血液の存在した場所と、存在していない場所との区別がつきいにくい
△：血液の赤さが若干残っており、血液が存在した場所が分かる
×：血液の赤さがそのまま残っている
結果を、併せて下記表３に示す。
【０２７５】
【表３−１】
0005726121.tif 000014
【０２７６】
【表３−２】
0005726121.tif 000015
【０２７７】
血液改質剤を有しない場合には、リウェット率は２２．７％であり、そして吸収体移行速度は６０秒超であったが、グリセリンと脂肪酸とのトリエステルは、いずれも、リウェット率が７．０％以下であり、そして吸収体移行速度が８秒以下であることから、吸収性能が大幅に改善されていることが分かる。しかし、グリセリンと脂肪酸とのトリエステルのうち、融点が４５℃を超えるＮＡ５０では、吸収性能に大きな改善はみられなかった。
【０２７８】
同様に、約０．００〜約０．６０のＩＯＢと、約４５℃以下の融点と、２５℃の水１００ｇに対する、約０．００〜約０．０５ｇの水溶解度を有する血液改質剤では、吸収性能が大きく改善されることが分かった。
【０２７９】
次に、Ｎｏ．３−１〜Ｎｏ．３−４７の生理用ナプキンを、複数のボランティアの被験者に着用してもらったところ、Ｎｏ．３−１〜Ｎｏ．３−３２の血液改質剤を含む生理用ナプキンでは、経血を吸収した後であってもトップシートにべたつき感がなく、トップシートがサラサラしているとの回答を得た。
【０２８０】
また、Ｎｏ．３−１〜Ｎｏ．３−３２の生理用ナプキンでは、そして特に、Ｎｏ．３−１〜１１，１５〜１９及び３２の血液改質剤を含む生理用ナプキンでは、経血を吸収後のトップシートの肌当接面が、血液で赤く染まっておらず、不快感が少ないとの回答を得た。
【０２８１】
なお、例３は、生理用ナプキンが所定の中高部を有しない例ではあるが、Ｎｏ．３−１〜Ｎｏ．３−３２の生理用ナプキンは、パナセート８１０ｓを含むＮｏ．３−７と同等の結果が得られていることから、Ｎｏ．３−１〜Ｎｏ．３−３２の生理用ナプキンで用いられた血液改質剤を、血液改質剤が塗工されていない吸収性物品Ｎｏ．１−４に塗工した場合には、血液改質剤（パナセート８１０ｓ）が塗工されている吸収性物品Ｎｏ．２−１と同等の結果が得られるものと考えられる。
【０２８２】
［例４］
動物の各種血液に関して、上述の手順に従って、リウェット率を評価した。実験に用いられた血液は、以下の通りである。
［動物種］
（１）ヒト
（２）ウマ
（３）ヒツジ
【０２８３】
［血液種］
・脱繊維血：血液を採取後、ガラスビーズと共に、三角フラスコ内で約５分間撹拌したもの
・ＥＤＴＡ血：静脈血６５ｍＬに、１２％ＥＤＴＡ・２Ｋ生理食塩液０．５ｍＬを添加したもの
【０２８４】
［分画］
血清又は血漿：それぞれ、脱繊維血又はＥＤＴＡ血を、室温下で、約１９００Ｇで１０分間遠心分離した後の上清
血球：血液から血清を除去し、残差をリン酸緩衝生理食塩液（ＰＢＳ）で２回洗浄し、次いで除去した血清分のリン酸緩衝生理食塩液を加えたもの
【０２８５】
トリＣ２Ｌ油脂肪酸グリセリドが、坪量がおおよそ５ｇ／ｍ2となるように塗布されている以外は、例３と同様にして吸収性物品を製造し、上述の各種血液に関して、リウェット率を評価した。各血液に関して測定を３回行い、その平均値を採用した。
結果を、下記表４に示す。
【０２８６】
【表４】
0005726121.tif 000016
【０２８７】
例３で得られた、ウマＥＤＴＡ血と同様の傾向が、ヒト及びヒツジの血液でも得られた。また、脱繊維血及びＥＤＴＡ血においても、同様の傾向が観察された。
【０２８８】
［例５］
［血液保持性の評価］
血液改質剤を含むトップシートと、血液改質剤を含まないトップシートとにおける血液保持性を評価した。
【０２８９】
［試験方法］
（１）エアスルー不織布（ポリエステル及びポリエチレンテレフタレートから成る複合繊維、坪量：３５ｇ／ｍ2）から形成されたトップシートの肌当接面に、トリＣ２Ｌ油脂肪酸グリセリドを、コントロールシームＨＭＡガンを用いて微粒化し、坪量がおおよそ５ｇ／ｍ2となるように塗布する。また、比較のため、トリＣ２Ｌ油脂肪酸グリセリドを塗布していないものも準備する。次いで、トリＣ２Ｌ油脂肪酸グリセリドが塗布されているトップシートと、塗布されていないトップシートとの両方を、０．２ｇの大きさにカットし、セルストレイナー＋トップシートの質量（ａ）を正確に測定する。
【０２９０】
（２）ウマＥＤＴＡ血約２ｍＬを、肌当接面側から添加し、１分間静置する。
（３）セルストレイナーを、遠心管にセットし、スピンダウンして、余剰のウマＥＤＴＡ血を取り除く。
（４）セルストレイナー＋ウマＥＤＴＡ血を含むトップシートの質量（ｂ）を測定する。
（５）下式に従って、トップシート１ｇ当たりの当初吸収量（ｇ）を算出する。
当初吸収量＝［質量（ｂ）−質量（ａ）］／０．２
（６）セルストレイナーを、遠心管に再セットし、室温下、約１２００Ｇで１分間遠心分離する。
【０２９１】
（７）セルストレイナー＋ウマＥＤＴＡ血を含むトップシートの質量（ｃ）を測定する。
（８）下式に従って、トップシート１ｇ当たりの試験後吸収量（ｇ）を算出する。
試験後吸収量＝［質量（ｃ）−質量（ａ）］／０．２
（９）下式に従って血液保持率（％）を算出した。
血液保持率（％）＝１００×試験後吸収量／当初吸収量
なお、測定は３回行い、その平均値を採用した。
結果を、下記表５に示す。
【０２９２】
【表５】
0005726121.tif 000017
【０２９３】
血液改質剤を含むトップシートは、血液保持性が低く、血液を吸収後、迅速に吸収体に移行させることができることが示唆される。
【０２９４】
［例６］
［血液改質剤を含む血液の粘性］
血液改質剤を含む血液の粘性を、Ｒｈｅｏｍｅｔｒｉｃ  Ｅｘｐａｎｓｉｏｎ  Ｓｙｓｔｅｍ  ＡＲＥＳ（Ｒｈｅｏｍｅｔｒｉｃ  Ｓｃｉｅｎｔｉｆｉｃ，Ｉｎｃ）を用いて測定した。ウマ脱繊維血に、パナセート８１０ｓを２質量％添加し、軽く撹拌して試料を形成し、直径５０ｍｍのパラレルプレートに試料を載せ、ギャップを１００μｍとし、３７±０．５℃で粘度を測定した。パラレルプレートゆえ、試料に均一なせん断速度はかかっていないが、機器に表示された平均せん断速度は、１０ｓ-1であった。
【０２９５】
パナセート８１０ｓを２質量％含むウマ脱繊維血の粘度は、５．９ｍＰａ・ｓであり、一方、血液改質剤を含まないウマ脱繊維血の粘度は、５０．４ｍＰａ・ｓであった。従って、パナセート８１０ｓを２質量％含むウマ脱繊維血は、血液改質剤を含まない場合と比較して、約９０％粘度を下げることが分かる。
血液は、血球等の成分を含み、チキソトロピーの性質を有することが知られているが、本開示の血液改質剤は、低粘度域で、血液の粘度を下げることができると考えられる。血液の粘度を下げることにより、吸収した経血を、トップシートから吸収体に速やかに移行させることができると考えられる。
【０２９６】
［例７］
［血液改質剤を含む血液の顕微鏡写真］
健常ボランティアの経血を食品保護用ラップフィルム上に採取し、その一部に、１０倍の質量のリン酸緩衝生理食塩水中に分散されたパナセート８１０ｓを、パナセート８１０ｓの濃度が１質量％となるように添加した。経血を、スライドグラスに適下し、カバーグラスをかけ、光学顕微鏡にて、赤血球の状態を観察した。血液改質剤を含まない経血の顕微鏡写真を図１１（ａ）に、そしてパナセート８１０ｓを含む経血の顕微鏡写真を図１１（ｂ）に示す。
【０２９７】
図１１（ａ）及び（ｂ）から、血液改質剤を含まない経血では、赤血球が連銭等の集合塊を形成しているが、パナセート８１０ｓを含む経血では、赤血球が、それぞれ、安定に分散していることが分かる。従って、血液改質剤は、血液の中で、赤血球を安定化させる働きをしていることが示唆される。
【０２９８】
［例８］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。
測定は、機器が自動で行うが、表面張力γは、以下の式により求められる（図１２を参照）。
【０２９９】
γ＝ｇ×ρ×（ｄｅ）2×１／Ｈ
ｇ：重力定数
１／Ｈ：ｄｓ／ｄｅから求められる補正項
ρ：密度
ｄｅ：最大直径
ｄｓ：滴下端よりｄｅだけ上がった位置での径
【０３００】
密度ρは、ＪＩＳ  Ｋ  ２２４９−１９９５の「密度試験方法及び密度・質量・容量換算表」の５．振動式密度試験方法に準拠し、下記表６に示される温度で測定した。
測定には、京都電子工業株式会社のＤＡ−５０５を用いた。
結果を、表６に示す。
【０３０１】
【表６】
0005726121.tif 000018
【０３０２】
表６から、血液改質剤は、２５℃の水１００ｇに対する、約０．００〜約０．０５ｇの水溶解度を有することからも明らかなように、水への溶解性が非常に低いが、血液の表面張力を下げることができることが分かる。
血液の表面張力を下げることにより、吸収した血液をトップシートの繊維間に保持せず、速やかに吸収体に移行させることができると考えられる。
【０３０３】
本発明は、以下のＪ１〜Ｊ１５に関する。
［Ｊ１］
液透過性のトップシートと、液不透過性のバックシートと、上記液透過性のトップシート及び液不透過性のバックシートの間の吸収体とを含む吸収性物品であって、
上記吸収性物品が、排泄口当接域に、上記吸収性物品の厚さ方向に突出する中高部を有し、
上記中高部が、上記トップシートの一部と、上記トップシート及び吸収体の間に配置されているクッション部とを含み、
上記クッション部が、３〜３０ｍｍの最大厚さを有し、
上記吸収体が、上記吸収性物品の長手方向に、上記吸収体を連続的又は間欠的に圧搾することにより形成された、一又は複数の圧搾部を有し、そして
上記一又は複数の圧搾部が、上記吸収性物品を、その幅方向に且つ上記トップシートの肌当接面が突出するように折り曲げるための折り軸を形成している、
ことを特徴とする、上記吸収性物品。
【０３０４】
［Ｊ２］
上記クッション部が、５０〜８００ｇ／ｃｍ2の平均坪量を有する、Ｊ１に記載の吸収性物品。
［Ｊ３］
上記クッション部が、上記吸収性物品の幅方向において、０．１〜３．６Ｎの圧縮力を有する、Ｊ１又はＪ２に記載の吸収性物品。
【０３０５】
［Ｊ４］
上記クッション部が、各繊維の交点が熱融着されているエアスルー不織布を含む、Ｊ１〜Ｊ３のいずれか一項に記載の吸収性物品。
［Ｊ５］
上記吸収体が、上記折り軸を形成する、上記一又は複数の圧搾部を、上記クッション部と厚さ方向に重複する範囲に有する、Ｊ１〜Ｊ４のいずれか一項に記載の吸収性物品。
【０３０６】
［Ｊ６］
上記吸収体が、上記バックシート側に、上記折り軸に沿った溝部を有し、上記バックシートが、上記溝部に沿って窪んでいる、Ｊ１〜Ｊ５のいずれか一項に記載の吸収性物品。
［Ｊ７］
上記中高部が、中央部と、当該中央部を囲む外周部とを有し、そして上記外周部におけるクッション部の密度が、上記中央部におけるクッション部の密度よりも高い、Ｊ１〜Ｊ６のいずれか一項に記載の吸収性物品。
【０３０７】
［Ｊ８］
上記クッション部が、ウマＥＤＴＡ血２ｇを吸収させた後に、ウマＥＤＴＡ血を吸収させる前と比較して、５０％以上の最大厚さを保持する、Ｊ１〜Ｊ７のいずれか一項に記載の吸収性物品。
［Ｊ９］
上記吸収性物品が、上記中高部を内側に向けて湾曲する湾曲構造を有する、Ｊ１〜Ｊ８のいずれか一項に記載の吸収性物品。
【０３０８】
［Ｊ１０］
上記トップシートが、肌当接面に、上記吸収性物品の長手方向に延びる、複数の畝部と、複数の溝部とを有する、Ｊ１〜Ｊ９のいずれか一項に記載の吸収性物品。
［Ｊ１１］
上記中高部が、０．００〜０．６０のＩＯＢと、４５℃以下の融点と、２５℃の水１００ｇに対する、０．００〜０．０５ｇの水溶解度とを有する血液改質剤をさらに含む、Ｊ１〜Ｊ１０のいずれか一項に記載の吸収性物品。
【０３０９】
［Ｊ１２］
上記血液改質剤が、次の（ｉ）〜（ｉｉｉ）、
（ｉ）炭化水素、
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
Ｊ１１に記載の吸収性物品。
【０３１０】
［Ｊ１３］
上記血液改質剤が、次の（ｉ’）〜（ｉｉｉ’）、
（ｉ’）炭化水素、
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
Ｊ１１又はＪ１２に記載の吸収性物品。
【０３１１】
［Ｊ１４］
上記血液改質剤が、次の（Ａ）〜（Ｆ）、
（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル、
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル、
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル、
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ2〜Ｃ6アルキレングリコール、又はそのエステル若しくはエーテル、及び
（Ｆ）鎖状炭化水素、
並びにそれらの任意の組み合わせから成る群から選択される、Ｊ１１〜Ｊ１３のいずれか一項に記載の吸収性物品。
【０３１２】
［Ｊ１５］
上記血液改質剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ2〜Ｃ6アルキレングリコール、（ｅ2）ポリオキシＣ2〜Ｃ6アルキレングリコールと少なくとも１の脂肪酸とのエステル、（ｅ3）ポリオキシＣ2〜Ｃ6アルキレングリコールと少なくとも１の脂肪族１価アルコールとのエーテル、（ｅ4）ポリオキシＣ2〜Ｃ6アルキレングリコールと、鎖状炭化水素テトラカルボン酸、鎖状炭化水素トリカルボン酸、又は鎖状炭化水素ジカルボン酸とのエステル、（ｅ5）ポリオキシＣ2〜Ｃ6アルキレングリコールと、鎖状炭化水素テトラオール、鎖状炭化水素トリオール、又は鎖状炭化水素ジオールとのエーテル、及び（ｆ1）鎖状アルカン、並びにそれらの任意の組み合わせから成る群から選択される、Ｊ１１〜Ｊ１４のいずれか一項に記載の吸収性物品。
【符号の説明】
【０３１３】
１    吸収性物品
２    中高部
３    圧搾部
４    トップシート
５    剥離部
６    クッション部
７    吸収体
８    バックシート
９    固定部
１１    中央部
１２    外周部
１３    圧搾部
１４    折り軸
１５    弾性部材
１６    溝部
２１    圧縮力測定装置
２２    スタンド
２３    稼働台
２４    デジタルフォースゲージ
２５    試料台
２６    試料
２７    圧縮パーツ
２８    ストッパー
【図１】
0005726121.tif 000019
【図２】
0005726121.tif 000020
【図３】
0005726121.tif 000021
【図４】
0005726121.tif 000022
【図５】
0005726121.tif 000023
【図６】
0005726121.tif 000024
【図７】
0005726121.tif 000025
【図８】
0005726121.tif 000026
【図９】
0005726121.tif 000027
【図１２】
0005726121.tif 000028
【図１０】
0005726121.tif 000029
【図１１】
0005726121.tif 000030